(57)【要約】  本明細書で説明される様々な態様は、ワイヤレス通信でリソースを割り振ることに関する。第１の送信時間間隔（ＴＴＩ）を有するレガシワイヤレス通信技術のために構成されたリソースブロック（ＲＢ）グループのサブセットが決定され、ここで、第１のＴＴＩは、持続期間中の１つのサブフレームに基づいており、ＲＢグループのサブセット中の各ＲＢグループは、１つまたは複数のＲＢを含む。第２のＴＴＩを有する低レイテンシ通信技術のためのリソース割り振り、ここで、第２のＴＴＩは、持続期間中の１つのサブフレームよりも短い、が決定され、ここで、リソース割り振りは、ＲＢグループのサブセット中の１つまたは複数の低レイテンシＲＢを含む。データは、１つまたは複数の低レイテンシＲＢ中のリソース上でデータを通信され得、低レイテンシＲＢは、第２のＴＴＩに基づいており、リソースは、リソース割り振りに関連付けられる。
2019506048.tif 000002
【特許請求の範囲】
【請求項１】
ワイヤレス通信のための方法であって、
第１の送信時間間隔（ＴＴＩ）を有するレガシワイヤレス通信技術のために構成されたリソースブロック（ＲＢ）グループのサブセットを決定することと、前記第１のＴＴＩは、持続期間中の１つのサブフレームに基づいており、ここにおいて、ＲＢグループの前記サブセット中の各ＲＢグループは、１つまたは複数のＲＢを含む、
第２のＴＴＩを有する低レイテンシ通信技術のためのリソース割り振りを決定することと、前記第２のＴＴＩは、持続期間中の１つのサブフレームよりも短く、前記リソース割り振りは、ＲＢグループの前記サブセット中の１つまたは複数の低レイテンシＲＢを含む、
前記１つまたは複数の低レイテンシＲＢ中のリソース上でデータを通信することと、前記低レイテンシＲＢは、前記第２のＴＴＩに基づいており、前記リソースは、前記リソース割り振りに関連付けられる、
を備える、方法。
【請求項２】
前記リソース割り振りは、ＲＢグループの前記サブセット中の１つまたは複数のＲＢグループ中の前記１つまたは複数の低レイテンシＲＢを備える、請求項１に記載の方法。
【請求項３】
前記リソース割り振りは、ＲＢグループの前記サブセット中の各ＲＢグループ中の前記１つまたは複数の低レイテンシＲＢを備える、請求項１に記載の方法。
【請求項４】
前記レガシワイヤレス通信技術のために構成されたＲＢグループの追加のサブセットを決定することをさらに備え、ここにおいて、前記リソース割り振りは、ＲＢグループの前記サブセット中の１つまたは複数のＲＢグループ中の前記１つまたは複数の低レイテンシＲＢと、ＲＢグループの前記追加のサブセットのうちの１つまたは複数中の１つまたは複数の追加のＲＢグループとを備える、請求項１に記載の方法。
【請求項５】
前記１つまたは複数のＲＢグループおよび前記１つまたは複数の追加のＲＢグループは、周波数において隣接する、請求項４に記載の方法。
【請求項６】
システム帯域幅に少なくとも部分的に基づいて、前記１つまたは複数の低レイテンシＲＢを決定することをさらに備える、請求項１に記載の方法。
【請求項７】
システム帯域幅に少なくとも部分的に基づいて、リソースブロック（ＲＢ）グループのサブセットの数を識別することをさらに備える、請求項１に記載の方法。
【請求項８】
ＲＢグループの前記サブセットに基づいて、複数のリソース要素（ＲＥ）を備える制御チャネルのための復号候補を決定することをさらに備える、請求項１に記載の方法。
【請求項９】
前記復号候補を決定することは、ＲＢグループの前記サブセット中の１つまたは複数のＲＢグループに対応するＲＥに基づく前記制御チャネルのための少なくとも第１の復号候補と、ＲＢグループの前記サブセット中の１つまたは複数の他のＲＢグループに対応する他のＲＥに基づく前記制御チャネルのための第２の復号候補とを決定することを備える、請求項８に記載の方法。
【請求項１０】
前記第２のＴＴＩの前記持続期間に少なくとも部分的に基づいて、前記１つまたは複数の低レイテンシＲＢの数を決定することをさらに備える、請求項１に記載の方法。
【請求項１１】
前記第２のＴＴＩの前記持続期間に少なくとも部分的に基づいて、前記リソース割り振りを決定することをさらに備える、請求項１に記載の方法。
【請求項１２】
前記第２のＴＴＩの前記持続期間は、１シンボル、２シンボル、またはサブフレームの１つのスロットである、請求項１に記載の方法。
【請求項１３】
受信したセル固有基準信号（ＣＲＳ）または復調基準信号（ＤＭ−ＲＳ）に少なくとも部分的に基づいて、前記リソース割り振りを決定することをさらに備える、請求項１に記載の方法。
【請求項１４】
示されたリソース割り振りタイプ、ダウンリンク制御情報（ＤＩＣ）フォーマット、サブフレームインデックス、チャネル情報フィードバックのタイプ、またはそれらの組み合わせに少なくとも部分的に基づいて、前記リソース割り振りを決定することをさらに備える、請求項１に記載の方法。
【請求項１５】
ワイヤレス通信のための装置であって、
１つまたは複数のアンテナを介して１つまたは複数のワイヤレス信号を通信するためのトランシーバと、
命令を記憶するように構成されたメモリと、
前記トランシーバおよび前記メモリと通信可能に結合された１つまたは複数のプロセッサと
を備え、前記１つまたは複数のプロセッサは、
第１の送信時間間隔（ＴＴＩ）を有するレガシワイヤレス通信技術のために構成されたリソースブロック（ＲＢ）グループのサブセットを決定することと、前記第１のＴＴＩは、持続期間中の１つのサブフレームに基づいており、ここにおいて、ＲＢグループの前記サブセット中の各ＲＢグループは、１つまたは複数のＲＢを含む、
第２のＴＴＩを有する低レイテンシ通信技術のためのリソース割り振りを決定することと、前記第２のＴＴＩは、持続期間中の１つのサブフレームよりも短く、前記リソース割り振りは、ＲＢグループの前記サブセット中の１つまたは複数の低レイテンシＲＢを含む、
前記１つまたは複数の低レイテンシＲＢ中のリソース上でデータを通信することと、前記低レイテンシＲＢは、前記第２のＴＴＩに基づいており、前記リソースは、前記リソース割り振りに関連付けられる、
を行うように構成される、装置。
【請求項１６】
前記リソース割り振りは、ＲＢグループの前記サブセット中の１つまたは複数のＲＢグループ中の前記１つまたは複数の低レイテンシＲＢを備える、請求項１５に記載の装置。
【請求項１７】
前記リソース割り振りは、ＲＢグループの前記サブセット中の各ＲＢグループ中の前記１つまたは複数の低レイテンシＲＢを備える、請求項１５に記載の装置。
【請求項１８】
前記１つまたは複数のプロセッサは、前記レガシワイヤレス通信技術のために構成されたＲＢグループの追加のサブセットを決定するようにさらに構成され、ここにおいて、前記リソース割り振りは、ＲＢグループの前記サブセット中の１つまたは複数のＲＢグループ中の前記１つまたは複数の低レイテンシＲＢと、ＲＢグループの前記追加のサブセットのうちの１つまたは複数中の１つまたは複数の追加のＲＢグループとを備える、請求項１５に記載の装置。
【請求項１９】
前記１つまたは複数のＲＢグループおよび前記１つまたは複数の追加のＲＢグループは、周波数において隣接する、請求項１８に記載の装置。
【請求項２０】
前記１つまたは複数のプロセッサは、システム帯域幅に少なくとも部分的に基づいて、前記１つまたは複数の低レイテンシＲＢを決定するようにさらに構成される、請求項１５に記載の装置。
【請求項２１】
前記１つまたは複数のプロセッサは、システム帯域幅に少なくとも部分的に基づいて、リソースブロック（ＲＢ）グループのサブセットの数を識別することを決定するようにさらに構成される、請求項１５に記載の装置。
【請求項２２】
前記１つまたは複数のプロセッサは、ＲＢグループの前記サブセットに基づいて、複数のリソース要素（ＲＥ）を備える制御チャネルのための復号候補を決定するようにさらに構成される、請求項１５に記載の装置。
【請求項２３】
前記１つまたは複数のプロセッサは、少なくとも部分的に、ＲＢグループの前記サブセット中の１つまたは複数のＲＢグループに対応するＲＥに基づく前記制御チャネルのための少なくとも第１の復号候補と、ＲＢグループの前記サブセット中の１つまたは複数の他のＲＢグループに対応する他のＲＥに基づく前記制御チャネルのための第２の復号候補とを決定することによって、前記復号候補を決定するように構成される、請求項２２に記載の装置。
【請求項２４】
前記１つまたは複数のプロセッサは、前記第２のＴＴＩの前記持続期間に少なくとも部分的に基づいて、前記１つまたは複数の低レイテンシＲＢの数を決定するようにさらに構成される、請求項１５に記載の装置。
【請求項２５】
前記１つまたは複数のプロセッサは、前記第２のＴＴＩの前記持続期間に少なくとも部分的に基づいて、前記リソース割り振りを決定するようにさらに構成される、請求項１５に記載の装置。
【請求項２６】
前記第２のＴＴＩの前記持続期間は、１シンボル、２シンボル、またはサブフレームの１つのスロットである、請求項１５に記載の装置。
【請求項２７】
ワイヤレス通信のための装置であって、
第１の送信時間間隔（ＴＴＩ）を有するレガシワイヤレス通信技術のために構成されたリソースブロック（ＲＢ）グループのサブセットを決定するための手段と、前記第１のＴＴＩは、持続期間中の１つのサブフレームに基づいており、ここにおいて、ＲＢグループの前記サブセット中の各ＲＢグループは、１つまたは複数のＲＢを含む、
第２のＴＴＩを有する低レイテンシ通信技術のためのリソース割り振りを決定するための手段と、前記第２のＴＴＩは、持続期間中の１つのサブフレームよりも短く、前記リソース割り振りは、ＲＢグループの前記サブセット中の１つまたは複数の低レイテンシＲＢを含む、
前記１つまたは複数の低レイテンシＲＢ中のリソース上でデータを通信するための手段と、前記低レイテンシＲＢは、前記第２のＴＴＩに基づいており、前記リソースは、前記リソース割り振りに関連付けられる、
を備える、装置。
【請求項２８】
前記リソース割り振りは、ＲＢグループの前記サブセット中の１つまたは複数のＲＢグループ中の前記１つまたは複数の低レイテンシＲＢを備える、請求項２７に記載の装置。
【請求項２９】
ワイヤレス通信のために１つまたは複数のプロセッサによって実行可能なコードを備えるコンピュータ可読媒体であって、前記コードは、
第１の送信時間間隔（ＴＴＩ）を有するレガシワイヤレス通信技術のために構成されたリソースブロック（ＲＢ）グループのサブセットを決定するためのコードと、前記第１のＴＴＩは、持続期間中の１つのサブフレームに基づいており、ここにおいて、ＲＢグループの前記サブセット中の各ＲＢグループは、１つまたは複数のＲＢを含む、
第２のＴＴＩを有する低レイテンシ通信技術のためのリソース割り振りを決定するためのコードと、前記第２のＴＴＩは、持続期間中の１つのサブフレームよりも短く、前記リソース割り振りは、ＲＢグループの前記サブセット中の１つまたは複数の低レイテンシＲＢを含む、
前記１つまたは複数の低レイテンシＲＢ中のリソース上でデータを通信するためのコードと、前記低レイテンシＲＢは、前記第２のＴＴＩに基づいており、前記リソースは、前記リソース割り振りに関連付けられる、
を備える、コンピュータ可読媒体。
【請求項３０】
前記リソース割り振りは、ＲＢグループの前記サブセット中の１つまたは複数のＲＢグループ中の前記１つまたは複数の低レイテンシＲＢを備える、請求項２９に記載のコンピュータ可読媒体。
【発明の詳細な説明】
【関連出願の相互参照】
【０００１】
[0001]  本願は、「TECHNIQUES FOR ALLOCATING RESOURCES IN LOW LATENCY WIRELESS COMMUNICATIONS」と題され２０１５年１２月２８日に出願された米国仮特許出願第６２／２７１，９６１号の利益をさらに主張する、「TECHNIQUES FOR ALLOCATING RESOURCES IN LOW LATENCY WIRELESS COMMUNICATIONS」と題され２０１６年９月１４日に出願された米国特許出願第１５／２６４，８３９号の利益を主張し、これら両方は、本明細書の譲受人に譲渡され、その全体が参照により本明細書に明示的に組み込まれている。
【背景技術】
【０００２】
[0002]  概して通信システムに関し、より具体的には、ワイヤレス通信でリソースを割り振ることに関する態様が、本明細書で説明される。
【０００３】
[0003]  ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を採用し得る。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]  これらの多元接続技術は、異なるワイヤレスデバイスが都市、国家、地域、さらには地球規模で通信することを可能にする共通プロトコルを提供するために様々な電気通信規格において採用されている。電気通信規格の一例は、ロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイル電気通信システム（ＵＭＴＳ：Universal Mobile Telecommunications System）モバイル規格の拡張セットである。これは、スペクトル効率を改善し、サービスを改善し、新しいスペクトルを利用し、およびコストを下げることによってモバイルブロードバンドインターネットアクセスをより良くサポートし、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンド通信に対する需要が高まり続けるにつれ、ＬＴＥ技術におけるさらなる改善が望まれ得る。望ましくは、これらの改善は、他の多元接続技術と、これらの技術を採用する電気通信規格とに適用可能であるべきである。
【０００５】
[0005]  ＬＴＥでは、ユーザ機器（ＵＥ）にリソースを割り振るためにサポートされる３つのタイプのダウンリンクリソース割り振りが存在する：１つの割り振りタイプ（タイプ２）は、あるリソースブロック（ＲＢ）細分性（granularity）を有する実質的に隣接するリソース割り振りに基づく。別の割り振りタイプ（タイプ０）は、各ＲＢグループ（ＲＢＧ）がシステム帯域幅に基づいていくつかの連続したＲＢを含む複数のＲＢＧに基づいており、ビットマップは、ＵＥに割り当てられたＲＢＧのセットを示す。さらに別のタイプ（タイプ１）は、シフトされ得るＲＢＧサブセットに基づく。タイプ１割り振りでは、複数のＲＢＧサブセット間の１つの選択されたＲＢＧサブセットを示すために使用されるｃｅｉｌｉｎｇ（ｌｏｇ２（Ｐ））ビット（例えば、２０メガヘルツ（ＭＨｚ）については２ビット）を有する第１のフィールドと、サブセット内のリソース割り振りスパンのシフトを示すために使用される１ビットを有する第２のフィールドと、ビットマップの最上位ビットから最下位ビットまでが周波数の昇順で仮想ＲＢ（virtual RB）にマッピングされるように、選択されたＲＢＧサブセット中の単一の仮想ＲＢを各ビットがアドレスするビットマップを示すために使用される第３のフィールドとを含む３つのフィールドが、ＵＥに通信され得る。
【０００６】
[0006]  レガシＬＴＥを採用するワイヤレス通信システムにおいて、特定のｅノードＢによってサービスされる複数のＵＥは、約１ミリ秒サブフレームの送信時間間隔（ＴＴＩ：transmission time intervals）を使用して１つまたは複数のチャネル上でｅノードＢと通信するためにスケジュールされたリソースであり得る。帯域幅に対する要求およびＵＥの機能が増加するにつれて、通信におけるより低いレイテンシが要求され得る。
【発明の概要】
【０００７】
[0007]  以下で、１つまたは複数の態様の基本的理解を与えるために、そのような態様の簡略化された概要を提示する。この概要は、全ての予期される態様の包括的な概観ではなく、全ての態様の主要または重要な要素を識別するものでも、いずれかまたは全ての態様の範囲を定めるものでもない。その唯一の目的は、後で提示するより詳細な説明の導入として、１つまたは複数の態様のいくつかの概念を簡略化された形で提示することである。
【０００８】
[0008]  一例によると、ワイヤレス通信のための方法が提供される。方法は、第１の送信時間間隔（ＴＴＩ）を有するレガシワイヤレス通信技術のために構成されたリソースブロック（ＲＢ）グループのサブセットを決定することを含み、第１のＴＴＩは、持続期間中の１つのサブフレームに基づいており、ここで、ＲＢグループのサブセット中の各ＲＢグループは、１つまたは複数のＲＢを含む。方法はまた、第２のＴＴＩを有する低レイテンシ通信技術のためのリソース割り振りを決定することを含み、第２のＴＴＩは、持続期間中の１つのサブフレームよりも短く、リソース割り振りは、ＲＢグループのサブセット中の１つまたは複数の低レイテンシＲＢを含む。方法はさらに、１つまたは複数の低レイテンシＲＢ中のリソース上でデータを通信することを含み、低レイテンシＲＢは、第２のＴＴＩに基づいており、リソースは、リソース割り振りに関連付けられる。
【０００９】
[0009]  別の例では、ワイヤレス通信のための装置が提供される。装置は、１つまたは複数のアンテナを介して１つまたは複数のワイヤレス信号を通信するためのトランシーバと、命令を記憶するように構成されたメモリと、トランシーバおよびメモリと通信可能に結合された１つまたは複数のプロセッサとを含む。１つまたは複数のプロセッサは、第１のＴＴＩを有するレガシワイヤレス通信技術のために構成されたＲＢグループのサブセットを決定するように構成され、第１のＴＴＩは、持続期間中の１つのサブフレームに基づく。ＲＢグループのサブセット中の各ＲＢグループは、１つまたは複数のＲＢを含む。１つまたは複数のプロセッサは、第２のＴＴＩを有する低レイテンシ通信技術のためのリソース割り振りを決定することと、第２のＴＴＩは、持続期間中の１つのサブフレームよりも短く、リソース割り振りは、ＲＢグループのサブセット中の１つまたは複数の低レイテンシＲＢを含む、および１つまたは複数の低レイテンシＲＢ中のリソース上でデータを通信することと、低レイテンシＲＢは、第２のＴＴＩに基づいており、リソースは、リソース割り振りに関連付けられる、を行うようにさらに構成される。
【００１０】
[0010]  さらに別の態様では、ワイヤレス通信のための装置が提供される。装置は、第１のＴＴＩを有するレガシワイヤレス通信技術のために構成されたＲＢグループのサブセットを決定するための手段を含み、第１のＴＴＩは、持続期間中の１つのサブフレームに基づく。ＲＢグループのサブセット中の各ＲＢグループは、１つまたは複数のＲＢを含む。装置はまた、第２のＴＴＩを有する低レイテンシ通信技術のためのリソース割り振りを決定するための手段と、第２のＴＴＩは、持続期間中の１つのサブフレームよりも短く、リソース割り振りは、ＲＢグループのサブセット中の１つまたは複数の低レイテンシＲＢを含む、および１つまたは複数の低レイテンシＲＢ中のリソース上でデータを通信するための手段と、低レイテンシＲＢは、第２のＴＴＩに基づいており、リソースは、リソース割り振りに関連付けられる、を含む。
【００１１】
[0011]  別の例では、ワイヤレス通信のために１つまたは複数のプロセッサによって実行可能なコードを含むコンピュータ可読媒体が提供される。コードは、第１のＴＴＩを有するレガシワイヤレス通信技術のために構成されたＲＢグループのサブセットを決定するためのコードを含み、第１のＴＴＩは、持続期間中の１つのサブフレームに基づく。ＲＢグループのサブセット中の各ＲＢグループは、１つまたは複数のＲＢを含む。コードはまた、第２のＴＴＩを有する低レイテンシ通信技術のためのリソース割り振りを決定するためのコードと、第２のＴＴＩは、持続期間中の１つのサブフレームよりも短く、リソース割り振りは、ＲＢグループのサブセット中の１つまたは複数の低レイテンシＲＢを含む、および１つまたは複数の低レイテンシＲＢ中のリソース上でデータを通信するためのコードと、低レイテンシＲＢは、第２のＴＴＩに基づいており、リソースは、リソース割り振りに関連付けられる、を含む。
【００１２】
[0012]  前述のおよび関連した目的を達成するために、１つまたは複数の態様は、以下で十分に説明され、特に特許請求の範囲において示される特徴を備える。以下の説明および添付の図面に、１つまたは複数の態様のうちのある特定の例示的な特徴を詳細に記載する。しかしながら、これらの特徴は、様々な態様の原理を採用することができる様々な方法のほんのいくつかを示すものであり、この説明は、全てのそのような態様およびそれらの均等物を含むことを意図する。
【図面の簡単な説明】
【００１３】
[0013]  本明細書で説明される態様のより完全な理解を容易にするために、次に添付の図面を参照し、同様の数字を用いて同様の要素が参照される。これらの図面は、本開示を限定するものとして解釈すべきではなく、例示的なものにすぎない。
【図１】[0014]  図１は、本明細書で説明される態様に従った、電気通信システムの例を図示する概念的なブロック図を示す。
【図２】[0015]  図２は、アクセスネットワークの例を図示する図である。
【図３】[0016]  図３は、アクセスネットワーク中の発展型ノードＢおよびユーザ機器の例を図示する図である。
【図４】[0017]  図４は、超低レイテンシ（ＵＬＬ：ultra low latency）帯域幅割り振りのためのタイムラインの例を図示する図である。
【図５】[0018]  図５は、本明細書で説明される態様に従った、低レイテンシワイヤレス通信技術で通信するためのシステムの例を図示する図である。
【図６】[0019]  図６は、本明細書で説明される態様に従った、低レイテンシワイヤレス通信技術で通信するための方法の例のフローチャートである。
【図７】[0020]  図７は、本明細書で説明される態様に従った、低レイテンシワイヤレス通信技術でユーザ機器によって通信するための方法の例のフローチャートである。
【図８】[0021]  図８は、本明細書で説明される態様に従った、低レイテンシワイヤレス通信技術で発展型ノードＢによって通信するための方法の例のフローチャートである。
【図９ａ】[0022]  図９ａは、本明細書で説明される態様に従った、ロングタームエボリューション通信のための例示的なリソース割り振りの図である。
【図９ｂ】図９ｂは、本明細書で説明される態様に従った、ロングタームエボリューション通信のための例示的なリソース割り振りの図である。
【図１０】[0023]  図１０は、本明細書で説明される態様に従った、低レイテンシ通信のための例示的なリソース割り振りの図である。
【詳細な説明】
【００１４】
[0024]  添付の図面に関連して以下に述べられる詳細な説明は、様々な構成の説明を意図したものであり、本明細書において説明される概念が実施され得る、唯一の構成を表すことを意図したものではない。詳細な説明は、様々な概念の完全な理解を提供するための具体的な詳細を含む。しかしながら、これらの概念はこれらの具体的な詳細なしに実施され得ることが当業者には明らかであるだろう。いくつかの例では、そのような概念を不明瞭にしないように、よく知られている構造およびコンポーネントをブロック図の形式で示す。
【００１５】
[0025]  ここで、電気通信システムのいくつかの態様が、様々な装置および方法に関連して示される。これらの装置および方法は、以下の詳細な説明において説明され、（「要素」と総称される）様々なブロック、モジュール、コンポーネント、回路、ステップ、プロセス、アルゴリズムなどによって添付の図面に図示される。これらの要素は、電子ハードウェア、コンピュータソフトウェア、またはそれらの任意の組合せを使用して実装され得る。そのような要素がハードウェアとして実装されるか、またはソフトウェアとして実装されるかは、特定の用途および全体的なシステムに課された設計制約に依存する。
【００１６】
[0026]例として、要素、または要素の任意の部分、または要素の任意の組合せは、１つまたは複数のプロセッサを含む「処理システム」を用いて実装され得る。プロセッサの例は、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理、ディスクリートハードウェア回路、および本開示全体にわたって説明される様々な機能を実行するように構成された他の好適なハードウェアを含む。処理システム中の１つまたは複数のプロセッサはソフトウェアを実行し得る。ソフトウェアは、ソフトウェア、ファームウェア、ミドルウェア、マイクロコード、ハードウェア記述言語などと呼ばれるか否かに関わらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１７】
[0027]  従って、１つまたは複数の実施形態では、説明された機能は、ハードウェア、ソフトウェア、ファームウェア、またはこれらの任意の組み合わせで実装され得る。ソフトウェアで実装される場合、この機能は、コンピュータ可読媒体上の１つまたは複数の命令またはコードとして記憶されるか、または符号化され得る。コンピュータ可読媒体は、コンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、かつコンピュータによってアクセスされ得る、任意の他の媒体を備えることができる。本明細書で使用される、ディスク（Disk）およびディスク（disc）は、コンパクトディスク（ＣＤ）、レーザーディスク（登録商標）、光学ディスク、デジタル多用途ディスク（ＤＶＤ）、並びにフロッピー（登録商標）ディスクを含み、ディスク（ｄｉｓｋ）は通常、データを磁気的に再生し、ディスク（ｄｉｓｃ）は、データをレーザで光学的に再生する。上記の組合せもコンピュータ可読媒体の範囲内に含めるべきである。
【００１８】
[0028]  低レイテンシワイヤレス通信のためのリソース割り振りを生成および／または決定することに関する様々な態様が、本明細書で説明される。例えば、低レイテンシ通信技術は、本明細書では超低レイテンシ（ＵＬＬ）通信技術とも呼ばれ、第３世代パートナーシッププロジェクト（３ＧＰＰ）ロングタームエボリューション（ＬＴＥ）のようなレガシワイヤレス通信技術に基づき得るが、異なる長さの送信時間間隔（ＴＴＩ）を利用し得る（例えば、ＵＬＬ通信技術は、レガシ通信技術よりも短いＴＴＩ持続期間を有し得る）。例えば、レガシＬＴＥ技術は、ＬＴＥで定義されるサブフレームの持続期間を有するＴＴＩ（例えば、１ミリ秒）を利用し得、ＵＬＬ ＴＴＩ技術は、サブフレームよりも短い持続期間（例えば、１シンボル、２シンボル、サブフレームスロットなどのようなサブフレームの分割）を有するＴＴＩに基づき得る。これに関して、より短くより頻度の高いＴＴＩによって、通信におけるより低いレイテンシが達成される。
【００１９】
[0029]  ＵＬＬ通信技術のためのリソース割り振りは、レガシ通信技術でのリソース割り振りの１つまたは複数の態様に基づき得る。例えば、ＵＬＬ通信技術のためのリソース割り振りは、レガシ通信技術において定義されるリソースブロック（ＲＢ）および／またはＲＢグループ（ＲＢＧ）に基づき得る。例えば、ＲＢは、レガシ通信技術のためのシステム帯域幅中の周波数帯域の一部分を指し得る。例えば、２０メガヘルツ（ＭＨｚ）ＬＴＥシステムは、２０ＭＨｚ内に１００個のＲＢを有し得る。ＲＢＧは、システム帯域幅中の連続したまたは連続しないＲＢの一部分を指し得る。
【００２０】
[0030]  ＵＬＬ通信技術における所与のＴＴＩでは、１つまたは複数の低レイテンシＲＢがリソース割り振りのために生成および／または決定され得る。一例では、１つまたは複数の低レイテンシＲＢは、本明細書ではＵＬＬブロックとも呼ばれ、レガシ通信技術での通信のために構成されたＲＢグループのサブセット中の１つまたは複数のＲＢグループ中にある。別の例では、１つまたは複数の低レイテンシＲＢは、レガシ通信技術での通信のために構成されたＲＢグループのサブセット中の各ＲＢグループ中にある。一例では、１つまたは複数の低レイテンシＲＢは、レガシ通信技術での通信のために構成されたＲＢグループの追加のサブセット中の追加のＲＢグループ（例えば、連続したＲＢグループ）中にある。
【００２１】
[0031]  最初に図１を参照すると、図は、本明細書で説明される態様に従った、ワイヤレス通信システム１００の例を図示している。ワイヤレス通信システム１００は、複数のアクセスポイント（例えば、基地局、ｅＮＢ、またはＷＬＡＮアクセスポイント）１０５、いくつかのユーザ機器（ＵＥ）１１５、およびコアネットワーク１３０を含む。アクセスポイント１０５は、ＵＬＬ通信技術を使用してＵＥ１１５と通信するためのリソースを割り振るように構成されたスケジューリングコンポーネント３０２を含み得る。同様に、ＵＥ１１５の１つまたは複数は、ＵＬＬ通信技術（例えば、ＵＬＬ ＬＴＥ）を使用して１つまたは複数のアクセスポイント１０５と通信するように構成された通信コンポーネント３６１を含み得る。アクセスポイント１０５のいくつかは、基地局コントローラ（図示せず）の制御下で、ＵＥ１１５と通信し得、それは、様々な例において、コアネットワーク１３０またはある特定のアクセスポイント１０５（例えば、基地局またはｅＮＢ）の一部であり得る。アクセスポイント１０５は、バックホールリンク１３２を通してコアネットワーク１３０と制御情報および／またはユーザデータを通信し得る。例では、アクセスポイント１０５は、直接的または間接的に、バックホールリンク１３４上で互いと通信し得、それは、ワイヤードまたはワイヤレス通信リンクであり得る。ワイヤレス通信システム１００は、複数のキャリア（異なる周波数の波形信号）上の動作をサポートし得る。マルチキャリア送信機は、その複数のキャリア上で同時に変調された信号を送信することができる。例えば、各通信リンク１２５は、上述された様々な無線技術に従って変調されたマルチキャリア信号であり得る。各変調された信号は、異なるキャリア上で送られ得、制御情報（例えば、基準信号、制御チャネルなど）、オーバヘッド情報、データなどを搬送し得る。
【００２２】
[0032]  いくつかの例では、ワイヤレス通信システム１００の少なくとも一部分は、ＵＥ１１５の１つまたは複数とアクセスポイント１０５の１つまたは複数とが、別の階層レイヤに関する低減されたレイテンシを有する階層レイヤ上の送信をサポートするように構成され得る、複数の階層レイヤで動作するように構成され得る。いくつかの例では、ハイブリッドＵＥ１１５−ａは、（「レガシ通信技術」と呼ばれ得る）第１のＴＴＩを使用する第１のレイヤ送信をサポートする第１の階層レイヤと、（「ＵＬＬ通信技法」に関連し得る）第１のＴＴＩよりも短い可能性がある第２のＴＴＩを使用する第２のレイヤ送信をサポートする第２の階層レイヤとの両方で、アクセスポイント１０５−ａと通信し得る。
【００２３】
[0033]  他の例では、第２のレイヤＵＥ１１５−ｂは、第２の階層レイヤ上のみでアクセスポイント１０５−ｂと通信し得る。よって、ハイブリッドＵＥ１１５−ａおよび第２のレイヤＵＥ１１５−ｂは、第２の階層レイヤ上で通信し得るＵＥ１１５の第２のクラスに所属し得るが、一方、レガシＵＥ１１５は、第１の階層レイヤ上でのみ通信し得るＵＥ１１５の第１のクラスに所属し得る。アクセスポイント１０５−ｂおよびＵＥ１１５−ｂは、第２のサブフレームタイプのサブフレームの送信を通じて、第２の階層レイヤ上で通信し得る。アクセスポイント１０５−ｂは、第１または第２の階層レイヤに関する通信のみを送信し得るか、または第１および第２の階層レイヤの両方のために通信を送信し得る。アクセスポイント１０５−ｂは、第１および第２の階層レイヤの両方をサポートする場合、通信コンポーネント３６１は、本明細書で説明されるような第１および第２の階層レイヤに関連するアクセスポイント１０５−ｂから受信される通信を優先するように構成され得る。
【００２４】
[0034]  アクセスポイント１０５は、１つまたは複数のアクセスポイントアンテナを介してＵＥ１１５とワイヤレスに通信し得る。アクセスポイント１０５のサイトの各々は、それぞれのカバレッジエリア１１０のための通信カバレッジを提供し得る。いくつかの例では、アクセスポイント１０５は、ベーストランシーバ局、無線基地局、無線トランシーバ、基本サービスセット（ＢＳＳ）、拡張型サービスセット（ＥＳＳ）、ノードＢ、ｅノードＢ、ホームノードＢ、ホームｅノードＢ、または何らかの他の適切な技術用語で呼ばれ得る。基地局のためのカバレッジエリア１１０は、カバレッジエリア（図示せず）の一部のみを構成するセクタに分割され得る。ワイヤレス通信システム１００は、異なるタイプのアクセスポイント１０５（例えば、マクロ、マイクロ、および／またはピコ基地局）を含み得る。アクセスポイント１０５はまた、セルラおよび／またはＷＬＡＮ無線アクセス技術（ＲＡＴ）のような異なる無線技術を利用し得る。アクセスポイント１０５は、同じまたは異なるアクセスネットワークあるいはオペレータ配置に関連付けられ得る。アクセスポイント１０５の同じまたは異なるタイプのカバレッジエリアを含み、同じまたは異なる無線技術を利用し、および／または、同じまたは異なるアクセスネットワークに属する、異なるアクセスポイント１０５のカバレッジエリアは、オーバーラップし得る。
【００２５】
[0035]  ＬＴＥ／ＬＴＥ−Ａおよび／またはＵＬＬ ＬＴＥ通信技術を使用するネットワーク通信システムでは、発展型ノードＢ（ｅノードＢまたはｅＮＢ）という用語は、概してアクセスポイント１０５を説明するために使用され得る。ワイヤレス通信システム１００は、異なるタイプのアクセスポイントが様々な地理的領域にカバレッジを提供する異種ＬＴＥ／ＬＴＥ−Ａ／ＵＬＬ ＬＴＥネットワークであり得る。例えば、各アクセスポイント１０５は、マクロセル、ピコセル、フェムトセル、および／またはその他のタイプのセルのために通信カバレッジを提供し得る。ピコセル、フェムトセルのような小さなセル、および／または他のタイプのセルは、低電力ノードすなわちＬＰＮを含み得る。マクロセルは、比較的大きい地理的エリア（例えば、半径数キロメートル）をカバーし、ネットワークプロバイダとの、サービスに加入しているＵＥ１１５による無制限のアクセスを可能にし得る。スモールセルは、比較的小さい地理的エリアをカバーし得、例えば、無制限アクセスに加えて、スモールセル（例えば、クローズド加入者グループ（ＣＳＧ：closed subscriber group）、家庭でのユーザのためのＵＥなど）との関連付けを有するＵＥ１１５による制限アクセスもまた提供し得る、ネットワークプロバイダを用いたサービスに加入しているＵＥ１１５による無制限アクセスを可能にし得る。マクロセルのためのｅＮＢは、マクロｅＮＢと呼ばれ得る。スモールセルのためのｅＮＢは、スモールｅＮＢと呼ばれ得る。ｅＮＢは、１または複数（例えば、２、３、４個など）のセルをサポートし得る。
【００２６】
[0036]  コアネットワーク１３０は、１つまたは複数のバックホールリンク１３２（例えば、Ｓ１インターフェースなど）を介してｅＮＢまたは他のアクセスポイント１０５と通信し得る。アクセスポイント１０５はまた、例えば、直接的または間接的に、バックホールリンク１３４（例えば、Ｘ２インターフェースなど）を介しておよび／またはバックホールリンク１３２（例えば、コアネットワーク１３０を通る）を介して互いと通信し得る。ワイヤレス通信システム１００は、同期または非同期動作をサポートし得る。同期動作について、アクセスポイント１０５は、同様のフレームタイミングを有し得、異なるアクセスポイント１０５からの送信は時間的におおまかにアラインされ得る。非同期動作について、アクセスポイント１０５は、異なるフレームタイミングを有し得、異なるアクセスポイント１０５からの送信は時間的にアラインされない可能性がある。さらに、第１の階層レイヤおよび第２の階層レイヤ中の送信は、アクセスポイント１０５間で同期され得るか、または同期されない可能性がある。本明細書で説明される技法は、同期または非同期動作のいずれかのために使用され得る。
【００２７】
[0037]  ＵＥ１１５は、ワイヤレス通信システム１００全体に分散され、各ＵＥ１１５は、固定式または移動式であり得るＵＥ１１５はまた、当業者によって、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な専門用語で呼ばれ得る。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、腕時計またはメガネのようなウェアラブルアイテム、ワイヤレスローカルループ（ＷＬＬ）局などであり得る。ＵＥ１１５は、マクロｅノードＢ、スモールセルｅノードＢ、リレーなどと通信可能であり得る。ＵＥ１１５はまた、ＷＬＡＮアクセスネットワーク、またはセルラあるいは他のＷＷＡＮアクセスネットワークのような異なるアクセスネットワーク上で通信することが可能であり得る。
【００２８】
[0038]  ワイヤレス通信システム１００において示される通信リンク１２５は、ＵＥ１１５からアクセスポイント１０５へのアップリンク（ＵＬ）送信、および／またはアクセスポイント１０５からＵＥ１１５へのダウンリンク（ＤＬ）送信を含み得る。ダウンリンク送信はまた、順方向リンク送信とも呼ばれ得、一方、アップリンク送信はまた、逆方向リンク送信とも呼ばれ得る。通信リンク１２５は、いくつかの例では、通信リンク１２５において多重化され得る各階層レイヤの送信を搬送し得る。ＵＥ１１５は、例えば、多入力多出力（ＭＩＭＯ）、キャリアアグリゲーション（ＣＡ）、多地点協調（ＣｏＭＰ）、または他のスキームを通じて、複数のアクセスポイント１０５と協調して通信するように構成され得る。ＭＩＭＯ技法は、複数のデータストリームを送信するために、アクセスポイント１０５の複数のアンテナおよび／またはＵＥ１１５の複数のアンテナを使用する。キャリアアグリゲーションは、データ送信のために、同じまたは異なるサービングセル上で、２つ以上のコンポーネントキャリアを利用し得る。ＣｏＭＰは、ネットワークおよびスペクトル利用を増加させるとともに、ＵＥ１１５についての送信品質全体を改善するために、いくつかのアクセスポイント１０５による送信および受信の協調のための技法を含み得る。
【００２９】
[0039]  上述されるように、アクセスポイント１０５およびＵＥ１１５のいくつかの例では、複数のキャリア上で送信するために、キャリアアグリゲーションを利用し得る。いくつかの例では、アクセスポイント１０５およびＵＥ１１５は、フレーム内の第１の階層レイヤにおいて、２つ以上の別個のキャリアを使用して、第１のサブフレームタイプを各々有する１つまたは複数のサブフレームを同時に送信し得る。各キャリアは、例えば、２０ＭＨｚの帯域幅を有し得るが、他の帯域幅が利用され得る。ハイブリッドＵＥ１１５−ａおよび／または第２のレイヤＵＥ１１５−ｂは、ある特定の例では、１つまたは複数の別個のキャリアの帯域幅よりも広い帯域幅を有する単一のキャリアを利用して、第２の階層レイヤ中の１つまたは複数のサブフレームを受信および／または送信し得る。例えば、４つの別個の２０ＭＨｚキャリアが第１の階層レイヤにおいてキャリアアグリゲーションフレーム中で使用される場合、単一の８０ＭＨｚキャリアは、第２の階層レイヤにおいて使用され得る。８０ＭＨｚキャリアは、４つの２０ＭＨｚキャリアのうちの１つまたは複数によって使用される無線周波数と少なくとも部分的にオーバーラップする無線周波数スペクトルの一部を占有し得る。いくつかの例では、第２の階層レイヤタイプのためのスケーラブルな帯域幅（scalable bandwidth）は、拡張データレートをさらに提供するために、上述されるようなより短いＲＴＴを提供するための技法を組み合わせ得る。
【００３０】
[0040]  ワイヤレス通信システム１００で用いられ得る異なる動作モードの各々は、周波数分割複信（ＦＤＤ）または時分割複信に従って動作し得る。いくつかの例では、異なる階層レイヤは、異なるＴＤＤまたはＦＤＤモードに従って動作し得る。例えば、第１の階層レイヤは、ＦＤＤに従って動作し得るが、一方、第２の階層レイヤは、ＴＤＤに従って動作し得る。いくつかの例では、ＯＦＤＭＡ通信信号は、各階層レイヤのためのＬＴＥダウンリンク送信のための通信リンク１２５で使用され得るが、一方、シングルキャリア周波数分割多重接続（ＳＣ−ＦＤＭＡ）通信信号は、各階層レイヤ中でＬＴＥアップリンク送信のための通信リンク１２５で使用され得る。このようなシステムでの通信に関する他の特徴および機能と同様に、ワイヤレス通信システム１００のようなシステムでの階層レイヤの実装に関するさらなる詳細が、添付の図面を参照して下記に提示される。
【００３１】
[0041]  図２は、ＬＴＥまたはＵＬＬ ＬＴＥネットワークアーキテクチャにおけるアクセスネットワーク２００の例を図示する図である。この例では、アクセスネットワーク２００は、いくつかのセルラ領域（セル）２０２に分割される。１つまたは複数のスモールセルｅＮＢ２０８は、セル２０２のうちの１つまたは複数とオーバーラップするセルラ領域２１０を有し得る。スモールセルｅＮＢ２０８は、フェムトセル（例えば、ホームｅＮＢ（ＨｅＮＢ）、ピコセル、マイクロセル、またはリモート無線ヘッダ（ＲＲＨ））のような低電力クラスの１つまたは複数のセルを提供し得る。マクロｅＮＢ２０４は、それぞれのセル２０２に各々割り当てられ、セル２０２中の全てのＵＥ２０６のためにコアネットワーク１３０へのアクセスポイントを提供するよう構成される。一態様では、ｅＮＢ２０４および／または２０８は、ＵＬＬ通信技術を使用してＵＥ２０６と通信するためのリソースを割り振るように構成されたスケジューリングコンポーネント３０２を含み得る。同様に、ＵＥ２０６のうちの１つまたは複数は、ＵＬＬ通信技術（例えば、ＵＬＬ ＬＴＥ）を使用して１つまたは複数のｅＮＢ２０４および／または２０８と通信するように構成された通信コンポーネント３６１を含み得る。アクセスネットワーク２００のこの例には集中コントローラはないが、代替構成では集中コントローラが使用され得る。ｅＮＢ２０４は、無線ベアラ制御、アドミッション制御、モビリティ制御、スケジューリング、セキュリティ、およびコアネットワーク１３０の１つまたは複数のコンポーネントへの接続を含む、全ての無線に関連した機能を担う。
【００３２】
[0042]  アクセスネットワーク２００によって採用される変調および多元接続方式は、展開されている特定の電気通信規格に応じて異なり得る。ＬＴＥまたはＵＬＬ ＬＴＥアプリケーションでは、周波数分割複信（ＦＤＤ）および時分割複信（ＴＤＤ）の両方をサポートするように、ＯＦＤＭはＤＬ上で使用され得、ＳＣ−ＦＤＭＡはＵＬで使用され得る。当業者であれば以下の詳細な説明から容易に理解するように、本明細書で提示される様々な概念は、ＬＴＥアプリケーションに好適である。しかしながら、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリの一部として第３世代パートナーシッププロジェクト２（３ＧＰＰ２）によって公表されたエアインターフェース規格であり、ＣＤＭＡを採用してモバイル局にブロードバンドインターネットアクセスを提供する。これらの概念はまた、広帯域ＣＤＭＡ（Ｗ−ＣＤＭＡ（登録商標））、およびＴＤ−ＳＣＤＭＡのようなＣＤＭＡの他のバリエーションを用いるユニバーサル地上無線アクセス（ＵＴＲＡ）、ＴＤＭＡを用いるモバイル通信のためのグローバルシステム（ＧＳＭ（登録商標））、ＯＦＤＭＡを用いる発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、およびフラッシュＯＦＤＭに拡張され得る。ＵＴＲＡ、Ｅ−ＵＴＲＡ、ＵＭＴＳ、ＬＴＥおよびＧＳＭは、３ＧＰＰ団体からの文書で説明されている。ＣＤＭＡ２０００およびＵＭＢは、３ＧＰＰ２団体からの文書で説明されている。採用される実際のワイヤレス通信規格および多元接続技術は、特定のアプリケーションおよびシステムに課された全体的な設計制約に依存するだろう。
【００３３】
[0043]  ｅＮＢ２０４は、ＭＩＭＯ技術をサポートする複数のアンテナを有し得る。ＭＩＭＯ技術の使用は、ｅＮＢ２０４が、空間多重化、ビームフォーミング、および送信ダイバーシティをサポートするために空間領域を利用することを可能にする。空間多重化は、データの異なるストリームを同じ周波数上で同時に送信するために使用され得る。それらのデータストリームは、データレートを増加させるために単一のＵＥ２０６に送信され得るか、または全体的なシステム容量を増加させるために複数のＵＥ２０６に送信され得る。これは、各データストリームを空間的にプリコーディングし（すなわち、振幅および位相のスケーリングを適用し）、その後、ＤＬ上で複数の送信アンテナを通じて各々空間的にプリコーディングされたストリームを送信することによって達成される。空間的にプリコーディングされたデータストリームは、異なる空間シグネチャとともにＵＥ２０６に到着し、それは、ＵＥ２０６の各々がそのＵＥ２０６に宛てられた１つまたは複数のデータストリームを復元することを可能にする。ＵＬでは、各ＵＥ２０６は、空間的にプリコーディングされたデータストリームを送信し、それは、ｅＮＢ２０４が各々空間的にプリコーディングされたデータストリームのソースを識別することを可能にする。
【００３４】
[0044]  空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレッジを達成するために、送信ダイバーシティと組み合わせてシングルストリームビームフォーミング送信が使用され得る。
【００３５】
[0045]  以下の詳細な説明では、ＤＬ上でＯＦＤＭをサポートするＭＩＭＯシステムに関連して、アクセスネットワークの様々な態様が説明される。ＯＦＤＭは、ＯＦＤＭシンボル内のいくつかのサブキャリアを介してデータを変調するスペクトル拡散技法である。サブキャリアは精密な周波数で間隔を空けられる（spaced apart）。この間隔は、受信機がサブキャリアからデータを復元することを可能にする、「直交性」を提供する。時間領域では、ＯＦＤＭシンボル間干渉に対処するために、ガードインターバル（例えば、サイクリックプレフィックス）が各ＯＦＤＭシンボルに追加され得る。ＵＬは、高いピーク対平均電力比（ＰＡＰＲ）を補償するために、ＤＦＴ拡散ＯＦＤＭ信号の形式でＳＣ−ＦＤＭＡを使用し得る。
【００３６】
[0046]  図３は、アクセスネットワーク中でＵＥ３５０と通信状態にあるｅＮＢ３１０のブロック図である。ＤＬにおいて、コアネットワークから、上位レイヤパケットが、コントローラ／プロセッサ３７５に提供される。コントローラ／プロセッサ３７５は、Ｌ２レイヤの機能を実装する。ＤＬでは、コントローラ／プロセッサ３７５は、様々な優先度メトリックに基づいて、ヘッダ圧縮、暗号化、パケットのセグメント化および並び替え、論理チャネルとトランスポートチャネルとの間での多重化、ＵＥ３５０への無線リソース割り振りを提供する。コントローラ／プロセッサ３７５はまた、ＨＡＲＱ動作、紛失パケットの再送信、およびＵＥ３５０へのシグナリングを担う。
【００３７】
[0047]  送信（ＴＸ）プロセッサ３１６は、Ｌ１レイヤ（すなわち、物理レイヤ）のための様々な信号処理機能を実装する。信号処理機能は、ＵＥ３５０における前方誤り訂正（ＦＥＣ：forward error correction）を容易にするためにコーディングおよびインターリービングすること、および様々な変調方式（例えば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションにマッピングすることを含む。コード化され変調されたシンボルは次に、並列ストリームに分割される。各ストリームは次に、ＯＦＤＭサブキャリアにマッピングされ、時間領域および／または周波数領域中で基準信号（例えば、パイロット）を用いて多重化され、時間領域ＯＦＤＭシンボルストリームを搬送する物理チャネルを生成するために、逆高速フーリエ変換（ＩＦＦＴ）を使用してともに組み合わせられる。ＯＦＤＭストリームは、複数の空間ストリームを生成するために、空間的にプリコーディングされる。チャネル推定器３７４からのチャネル推定値は、符号化および変調方式を決定するために、ならびに空間処理のために使用され得る。チャネル推定値は、ＵＥ３５０によって送信される基準信号および／またはチャネル状態フィードバックから導出され得る。各空間ストリームは、別個の送信機３１８ＴＸを介して異なるアンテナ３２０に提供される。各送信機３１８ＴＸは、送信のためにそれぞれの空間ストリームでＲＦキャリアを変調する。加えて、ｅＮＢ３１０は、ＵＬＬ通信技術を使用してＵＥ３５０と通信するためのリソースを割り振るように構成されたスケジューリングコンポーネント３０２を含み得る。スケジューリングコンポーネント３０２がコントローラ／プロセッサ３７５と結合されるように示されているが、実質的には、ｅＮＢ３１０の任意のプロセッサは、スケジューリングコンポーネント３０２および／または（例えば、コントローラ／プロセッサ３７５、メモリ３７６、またはその他の物に関連して）本明細書で説明されるそれの関連したコンポーネントの機能を提供し得る。例えば、ＴＸプロセッサ３１６および／またはＲＸプロセッサ３７０は、追加的にまたは代替的に、本明細書で説明されるようなスケジューリングコンポーネント３０２の１つまたは複数の機能を提供し得る。
【００３８】
[0048]  ＵＥ３５０において、各受信機３５４ＲＸは、そのそれぞれのアンテナ３５２を通して、信号を受信する。各受信機３５４ＲＸは、ＲＦキャリア上に変調された情報を復元し、受信（ＲＸ）プロセッサ３５６にその情報を提供する。ＲＸプロセッサ３５６は、Ｌ１レイヤの様々な信号処理機能を実装する。ＲＸプロセッサ３５６は、ＵＥ３５０に宛てられた任意の空間ストリームを復元するために、その情報に対し空間処理を行う。複数の空間ストリームがＵＥ３５０に宛てられた場合、それらはＲＸプロセッサ３５６によって単一のＯＦＤＭシンボルストリームに合成され得る。ＲＸプロセッサ３５６は次に、高速フーリエ変換（ＦＦＴ）を使用してＯＦＤＭシンボルストリームを時間領域から周波数領域に変換する。周波数領域信号は、ＯＦＤＭ信号のサブキャリアごとに別個のＯＦＤＭシンボルストリームを備える。各サブキャリア上のシンボル、および基準信号は、ｅＮＢ３１０によって送信される、最も起こり得る信号コンスタレーションポイントを決定することによって復元および復調される。これらの軟判定は、チャネル推定器３５８によって計算されたチャネル推定値に基づき得る。これらの軟判定は次に、物理チャネルにおいてｅＮＢ３１０により元々送信されたデータおよび制御信号を復元するために、復号およびデインターリーブされる。データおよび制御信号は次に、コントローラ／プロセッサ３５９に提供される。
【００３９】
[0049]  コントローラ／プロセッサ３５９はＬ２レイヤを実装する。コントローラ／プロセッサは、プログラムコードとデータとを記憶するメモリ３６０に関連付けられ得る。メモリ３６０は、コンピュータ可読媒体と呼ばれ得る。ＵＬでは、コントローラ／プロセッサ３５９は、コアネットワークからの上位レイヤパケットを復元するために、トランスポートチャネルと論理チャネルとの間での逆多重化（demultiplexing）、パケットのリアセンブリ、暗号解読（deciphering）、ヘッダの圧縮解除（decompression）、制御信号処理を提供する。上位レイヤパケットは次に、Ｌ２レイヤの上の全てのプロトコルレイヤを表すデータシンク３６２に提供される。様々な制御信号もまた、Ｌ３処理のために、データシンク３６２に提供され得る。コントローラ／プロセッサ３５９はまた、ＨＡＲＱ動作をサポートするために肯定応答（ＡＣＫ）および／または否定応答（ＮＡＣＫ）プロトコルを使用する誤り検出を担う。加えて、通信コンポーネント３６１は、ＵＬＬ通信技術（例えば、ＵＬＬ ＬＴＥ）を使用して１つまたは複数のアクセスポイント１０５と通信するように構成される。通信コンポーネント３６１がコントローラ／プロセッサ３５９と結合されるように示されているが、実質的には、ＵＥ３５０の任意のプロセッサは、通信コンポーネント３６１および／または（例えば、コントローラ／プロセッサ３５９、メモリ３６０、またはその他の物に関連して）本明細書で説明されるそれの関連したコンポーネントの機能を提供し得る。例えば、ＴＸプロセッサ３６８および／またはＲＸプロセッサ３５６は、追加的にまたは代替的に、本明細書で説明されるような通信コンポーネント３６１の１つまたは複数の機能を提供し得る。
【００４０】
[0050]  ＵＬでは、コントローラ／プロセッサ３５９に上位レイヤパケットを提供するために、データソース３６７が使用される。データソース３６７は、Ｌ２レイヤより上位の全てのプロトコルレイヤを表す。ｅＮＢ３１０によるＤＬ送信に関連して説明された機能と同様に、コントローラ／プロセッサ３５９は、ヘッダ圧縮、暗号化、パケットのセグメント化および並び替え、並びにｅＮＢ３１０による無線リソース割り振りに基づいた論理チャネルとトランスポートチャネルとの間での多重化を提供することにより、ユーザプレーンおよび制御プレーンのためのＬ２レイヤを実装する。コントローラ／プロセッサ３５９はまた、ＨＡＲＱ動作、損失パケットの再送信、およびｅＮＢ３１０へのシグナリングを担う。
【００４１】
[0051]  ｅＮＢ３１０によって送信された基準信号またはフィードバックからチャネル推定器３５８によって導出されたチャネル推定値は、適切な符号化および変調方式を選択し、空間処理を容易にするために、ＴＸプロセッサ３６８によって使用され得る。ＴＸプロセッサ３６８によって生成された空間ストリームは、別個の送信機３５４ＴＸを介して異なるアンテナ３５２に提供される。各送信機３５４ＴＸは、送信するためのそれぞれの空間ストリームでＲＦキャリアを変調する。
【００４２】
[0052]  ＵＬ送信は、ＵＥ３５０における受信機機能に関連して説明されたものと同様の手法で、ｅＮＢ３１０において処理される。それぞれの受信機３１８ＲＸは、そのそれぞれのアンテナ３２０を通じて、信号を受信する。各受信機３１８ＲＸは、ＲＦキャリア上に変調された情報を復元し、ＲＸプロセッサ３７０にその情報を提供する。ＲＸプロセッサ３７０は、Ｌ１レイヤを実装し得る。
【００４３】
[0053]  コントローラ／プロセッサ３７５はＬ２レイヤを実装する。コントローラ／プロセッサ３７５は、プログラムコードとデータとを記憶するメモリ３７６に関連付けられ得る。メモリ３７６は、コンピュータ可読媒体と呼ばれ得る。ＵＬでは、コントローラ／プロセッサ３７５は、ＵＥ３５０からの上位レイヤパケットを復元するために、トランスポートチャネルと論理チャネルとの間の逆多重化、パケットのリアセンブリ、暗号解読、ヘッダの圧縮解除、制御信号処理を提供する。コントローラ／プロセッサ３７５からの上位レイヤパケットは、コアネットワークに提供され得る。コントローラ／プロセッサ３７５はまた、ＨＡＲＱ動作をサポートするためにＡＣＫおよび／またはＮＡＣＫプロトコルを使用する誤り検出を担う。
【００４４】
[0054]  図４は、図の左から右へ拡張する時間経過を用いた、ワイヤレス通信システムでＵＬＬ通信を管理するためのＵＬＬタイムライン４００、４０２の限定されない例を図示する図である。この例では、タイムライン４００、４０２は、サブフレームの各シンボル中にシンボル持続期間のＵＬＬフレームを含む。タイムライン４００、４０２はいずれも、ＵＬＬ物理ダウンリンク制御チャネル（ｕＰＤＣＣＨ）および／またはＵＬＬ物理ダウンリンク共有チャネル（ｕＰＤＳＣＨ）のためのＴＴＩを表すシンボルと、ＵＬＬ物理アップリンク制御チャネル（ｕＰＵＣＣＨ）および／またはＵＬＬ物理アップリンク共有チャネル（ｕＰＵＳＣＨ）を含むＴＴＩを表すシンボルとを描く。タイムライン４００では、（例えば、ノーマルＣＰのための）所与のサブフレーム内に１４個のシンボルが示されており、タイムライン４０２では、（例えば、拡張されたＣＰのための）所与のサブフレーム内に１２個のシンボルが示されている。いずれの場合も、シンボルベースのＴＴＩを利用することによって、ＵＬＬにおいてより低いレイテンシが達成され得る。他の例では、ＴＴＩは、２つ以上のシンボル、（１サブフレームが２つのスロットを含む）サブフレームのスロットなどであり得る。さらに、ＨＡＲＱプロセス応答時間は、３シンボル（または４シンボル、３つの二重シンボル（dual-symbol）、３つのスロットなど）であり得る。描かれている例では、サブフレーム中で、ｕＰＤＣＣＨ／ｕＰＤＳＣＨはシンボル０で送信され、ＨＡＲＱはシンボル４などで処理および送信される。さらに、本明細書で説明される態様に従って、所与のサブフレーム内のいくつかのシンボルは、ダウンリンク通信（例えば、ｕＰＤＣＣＨ／ｕＰＤＳＣＨ）のために割り振られ得るが、一方他のシンボルは、アップリンク通信（例えば、ｕＰＵＣＣＨ／ｕＰＵＳＣＨ）のために割り振られ得る。
【００４５】
[0055]  図５〜８を参照すると、態様は、本明細書で説明されるアクションまたは機能を行い得る１つまたは複数のコンポーネントおよび１つまたは複数の方法に関連して描かれる。一態様では、本明細書で説明される「コンポーネント」という用語は、システムを構成する部分のうちの１つであり得、ハードウェアまたはソフトウェア、あるいはこれらのいくつかの組み合わせであり得、他のコンポーネントに分割され得る。図６〜８で下記に説明される動作は、特定の順序で表される、および／または例示的なコンポーネントによって行われるが、アクションの順序およびアクションを行うコンポーネントは実装に依存して変化し得ることが理解されるべきである。さらに、下記のアクションまたは機能が、特別にプログラムされたプロセッサ、特別にプログラムされたソフトウェアを実行するプロセッサ、またはコンピュータ可読媒体によって、あるいは、説明されるアクションまたは機能を行うことが可能なハードウェアコンポーネントおよび／またはソフトウェアコンポーネントの任意の他の組み合わせによって行われ得ることが理解されるべきである。
【００４６】
[0056]  図５は、ＵＬＬ通信をスケジューリングするためのシステム５００の例を図示する。システム５００は、ワイヤレスネットワークにアクセスするためにｅＮＢ５０４と通信するＵＥ５０２を含み、その例は、上記で図１〜３で説明されている（例えば、アクセスポイント１０５、ｅＮＢ２０４、スモールセルｅＮＢ２０８、ｅＮＢ３１０、ＵＥ１１５、２０６、３５０など）。一態様では、ｅＮＢ５０４およびＵＥ５０２は、ダウンリンク信号５０９を介して通信する１つまたは複数のダウンリンクチャネルを確立し得、それは、構成された通信リソース上でｅＮＢ５０４からＵＥ５０２に（例えば、シグナリングにおいて）制御および／またはデータメッセージを通信するために、（例えば、トランシーバ５５６を介して）ｅＮＢ５０４によって送信され、（例えば、トランシーバ５０６を介して）ＵＥ５０２によって受信され得る。さらに、例えば、ｅＮＢ５０４およびＵＥ５０２は、アップリンク信号５０８を介して通信する１つまたは複数のアップリンクチャネルを確立し得、それは、構成された通信リソース上でＵＥ５０２からｅＮＢ５０４に（例えば、シグナリングにおいて）制御および／またはデータメッセージを通信するために、（例えば、トランシーバ５０６を介して）ＵＥ５０２によって送信され、（例えば、トランシーバ５５６を介して）ｅＮＢ５０４によって受信され得る。本明細書でさらに説明されるように、例えば、ｅＮＢ５０４は、ＵＥ５０２がデータをｅＮＢ５０４と通信（例えば、送信または受信）するリソースを示し得るリソース許可５８０を通信し得、ここで、リソースは、説明されるようなレガシ通信技術、ＵＬＬ通信技術に対応し得る。例えば、ＵＬＬ通信技術に関するリソースは、ＵＬＬタイムライン（例えば、図４におけるタイムライン４００、４０２のような、持続期間中のサブフレームよりも短いＴＴＩを有するタイムライン）に関連し得る。
【００４７】
[0057]  一態様では、ＵＥ５０２は、例えば、１つまたは複数のバス５０７を介して通信可能に結合され得る、１つまたは複数のプロセッサ５０３および／またはメモリ５０５を含み得、１つまたは複数のリソース許可に基づいてＵＬＬ通信技術を使用して通信するための通信コンポーネント３６１に関連して動作するか、またはそうでなければそれを実装し得る。例えば、通信コンポーネント３６１に関する様々な動作は、１つまたは複数のプロセッサ５０３によって実装されるか、またはそうでなければ実行され得、一態様では単一のプロセッサによって実行され得るが、一方他の実施形態では、複数の動作のうちの異なるものが２つ以上の異なるプロセッサの組み合わせによって実行され得る。例えば、一態様では、１つまたは複数のプロセッサ５０３は、モデムプロセッサ、またはベースバンドプロセッサ、またはデジタル信号プロセッサ、または特定用途向け集積回路（ＡＳＩＣ）、または送信プロセッサ、受信プロセッサ、またはトランシーバ５０６に関連付けられたトランシーバプロセッサのいずれか１つあるいは任意の組み合わせを含み得る。さらに、例えば、メモリ５０５は、限定はされないが、ランダムアクセスメモリ（ＲＡＭ）、読み取り専用メモリ（ＲＯＭ）、プログラマブルＲＯＭ（ＰＲＯＭ）、消去可能なＰＲＯＭ（ＥＰＲＯＭ）、電子的に消去可能なＰＲＯＭ（ＥＥＰＲＯＭ）、磁気記憶デバイス（例えば、ハードディスク、フロッピーディスク、磁気ストリップ）、光学デバイス（例えば、コンパクトディスク（ＣＤ）、デジタル多用途ディスク（ＤＶＤ））、スマートカード、フラッシュメモリデバイス（例えば、カード、スティック、キードライブ）、レジスタ、リムーバブルディスク、および、コンピュータまたは１つまたは複数のプロセッサ５０３によってアクセスされおよび読み取られ得る命令またはコンピュータ可読媒体および／またはソフトウェアを記憶するための任意の他の適切な媒体を含む、非一時的コンピュータ可読媒体であり得る。さらに、メモリ５０５またはコンピュータ可読記憶媒体は、１つまたは複数のプロセッサ５０３中に、１つまたは複数のプロセッサ５０３の外部に存在し得、１つまたは複数のプロセッサ５０３などを含む複数のエンティティを介して分散され得る。
【００４８】
[0058]  特に、１つまたは複数のプロセッサ５０３および／またはメモリ５０５は、通信コンポーネント３６１またはそのサブコンポーネントによって定義されるアクションまたは動作を実行し得る。例えば、１つまたは複数のプロセッサ５０３および／またはメモリ５０５は、低レイテンシ通信技術を使用してｅＮＢと通信するリソースを決定するためのリソース決定コンポーネント５１０によって定義されるアクションまたは処理を実行し得る。一態様では、例えば、リソース決定コンポーネント５１０は、本明細書で説明される特別に構成されたリソース決定動作を行うために１つまたは複数のプロセッサ５０３のうちの少なくとも１つによって実行可能でありメモリ５０５に記憶されるコンピュータ可読コードまたは命令群および／またはハードウェア（例えば、１つまたは複数のプロセッサ５０３の１つまたは複数のプロセッサモジュール）を含み得る。
【００４９】
[0059]  同様に、一態様では、ｅＮＢ５０４は、例えば、１つまたは複数のバス５５７を介して通信可能に結合され得る１つまたは複数のプロセッサ５５３および／またはメモリ５５５を含み得、ＵＬＬワイヤレス通信のための１つまたは複数のＵＥについてのリソース許可を生成するためのスケジューリングコンポーネント３０２と連結して動作するか、またはそうでなければそれを実施し得る。例えば、スケジューリングコンポーネント３０２に関する様々な機能は、１つまたは複数のプロセッサ５５３によって実装されるか、またはそうでなければ実行され得、一態様では単一のプロセッサによって実行され得るが、一方他の実施形態では、上述されるように、複数の機能のうちの異なるものが２つ以上の異なるプロセッサの組み合わせによって実行され得る。一例では、１つまたは複数のプロセッサ５５３および／またはメモリ５５５が、ＵＥ５０２の１つまたは複数のプロセッサ５０３および／またはメモリ５０５に関連した上記の例で説明されるように構成され得る。
【００５０】
[0060]  一例では、１つまたは複数のプロセッサ５５３および／またはメモリ５５５は、スケジューリングコンポーネント３０２またはそのサブコンポーネントによって定義されるアクションまたは動作を実行し得る。例えば、１つまたは複数のプロセッサ５５３および／またはメモリ５５５は、低レイテンシ通信技術を使用してｅＮＢ５０４と通信するＵＥにリソースを割り振るためのリソース割り振りコンポーネント５２０によって定義されるアクションまたは処理を実行し得る。一態様では、例えば、リソース割り振りコンポーネント５２０は、本明細書で説明される特別に構成されたリソース割り振り動作を行うために１つまたは複数のプロセッサ５５３のうちの少なくとも１つによって実行可能でありメモリ５５５に記憶されるコンピュータ可読コードまたは命令群および／またはハードウェア（例えば、１つまたは複数のプロセッサ５５３の１つまたは複数のプロセッサモジュール）を含み得る。
【００５１】
[0061]  一態様では、トランシーバ５０６、５５６は、１つまたは複数のアンテナ５８２、５８４を通して、ワイヤレス信号を送信および受信するように構成され得、１つまたは複数のＲＦフロントエンドコンポーネント（例えば、電力増幅器、低雑音増幅器、フィルタ、アナログ−デジタルコンバータ、デジタル−アナログコンバータなど）、１つまたは複数の送信機、１つまたは複数の受信機などを使用して、信号を生成または処理し得る。一態様では、トランシーバ５０６、５５６は、ＵＥ５０２および／またはｅＮＢ５０４が特定の周波数で通信することができるように、指定された周波数で動作するように調整され得る。一態様では、関連するアップリンクまたはダウンリンク通信チャネル上でアップリンク信号５０８および／またはダウンリンク信号５０９をそれぞれ通信するために、構成、通信プロトコルなどに基づいて指定された周波数および電力レベルで動作するように、１つまたは複数のプロセッサ５０３がトランシーバ５０６を構成し得、および／または１つまたは複数のプロセッサ５５３が、トランシーバ５５６を構成し得る。
【００５２】
[0062]  一態様では、トランシーバ５０６、５５６は、トランシーバ５０６、５５６を使用して送信および受信されたデジタルデータを処理するように、複数の帯域で（例えば、マルチバンドマルチモードモデム（図示せず）を使用して）動作し得る。一態様では、トランシーバ５０６、５５６は、マルチバンドであり得、特定の通信プロトコルに対して複数の周波数帯域をサポートするように構成される。一態様では、トランシーバ５０６、５５６は、複数の処理ネットワークおよび通信プロトコルをサポートするように構成され得る。よって、例えば、トランシーバ５０６、５５６は、指定されたモデム構成に基づく信号の送信および／または受信を可能にし得る。
【００５３】
[0063]  図６は、低レイテンシ通信技術におけるリソース割り振りを（例えば、ｅＮＢ、ＵＥなどによって）決定するための方法６００の例を図示する。方法６００では、破線のボックスで示されるブロックは、任意のステップを表す。加えて、下記でさらに詳細に説明されるように、リソース決定コンポーネント５１０および／またはリソース割り振りコンポーネント５２０は、方法６００で説明されるアクションの多くを行い得る。特に、リソース割り振りコンポーネント５２０は、ＵＥ５０２のような１つまたは複数のＵＥに割り振るためのリソースを決定する際のアクションを行い得、および／またはリソース決定コンポーネント５１０は、１つまたは複数のｅＮＢ（例えば、ｅＮＢ５０４）によってＵＥ５０２に割り振られたリソースを決定する際のアクションを行い得る。
【００５４】
[0064]  ブロック６０２において、ＵＥまたはｅＮＢは、レガシワイヤレス通信技術のために構成されたＲＢＧのサブセットを決定し得る。一態様では、例えば、プロセッサ５０３、メモリ５０５、および／またはトランシーバ５０６に関連して、リソース決定コンポーネント５１０は、レガシワイヤレス通信技術でのリソース割り振りを決定し得る。別の態様では、例えば、プロセッサ５５３、メモリ５５５、および／またはトランシーバ５５６に関連して、リソース割り振りコンポーネント５２０は、レガシワイヤレス通信技術でのリソース割り振りを決定し得る。
【００５５】
[0065]  例えば、リソース割り振りコンポーネント５２０は、ＵＥ５０２のためのリソース割り振りを決定し得、制御チャネル、共有サーチ空間などを介してリソース割り振りを通信することができる。この例では、リソース決定コンポーネント５１０は、リソース割り振り、リソース割り振りに関する１つまたは複数の既知のパラメータ、および／または同様のものにおいてｅＮＢ５０４から受信した情報のうちの少なくとも１つに少なくとも部分的に基づいて、リソース割り振りを決定し得る。例えば、低レイテンシ通信技術のためのリソース割り振りは、既知のＲＢＧおよび／またはそれらのＲＢに対応し得る。ＬＴＥでは、例えば、複数のダウンリンクリソース割り振りタイプが使用され得、それは、ダウンリンクリソース割り振りタイプ０、１、および２のように示される。例えば、ダウンリンクリソース割り振りタイプ０および１は、ＵＥにリソースを割り振る際に既知のＲＢＧを利用する。
【００５６】
[0066]  例えば、ＬＴＥにおけるダウンリンクリソース割り振りタイプ０は、いくつかの連続したＲＢ（Ｐ）を各ＲＢＧが含み得る、複数のＲＢＧに基づき得る。例えば、Ｐは、ＬＴＥシステム帯域幅に基づいて、下記に基づいて選択され得る。  
【００５７】
【表１】
2019506048.tif 000003
【００５８】
例えば、２０ＭＨｚシステム帯域幅について、１００個のＲＢが割り振られ得る。この例では、各ＲＢＧは、上記の表に基づいて、４つの連続したＲＢを含み得る（例えば、ＲＢＧ１としてのＲＢ０〜３で始まり、ＲＢＧ２としてのＲＢ４〜７など）。よって、２５個の利用可能なＲＢＧ（例えば、ＲＢＧのサイズで分割されるシステム帯域幅）が存在し、２５ビットのビットマップは、ＬＴＥワイヤレス通信においてｅＮＢからのダウンリンク通信を受信するために、２５個のＲＢＧの中からどのＲＢＧがＵＥに割り振られるかを示すために使用され得る。この例では、リソース決定コンポーネント５１０は、ｅＮＢ５０４からビットマップを受信すること、ここで、ビットマップは、ＵＥ５０２に割り振られるＲＢＧのサブセットを指定する、システム帯域幅などを決定することに基づいてダウンリンクリソース割り振りタイプ０がリソースを割り振るために使用されるとの指示に基づくこと、のうちの少なくとも１つに少なくとも部分的に基づいて、リソース割り振りを決定し得る。リソース割り振りコンポーネント５２０は、ＵＥおよび／または他のＵＥのためのＲＢＧのサブセット上のリソースをスケジューリングする際に、ＵＥ５０２のためにこのビットマップを生成し得、ＵＥ５０２にビットマップを通信し得る。例えば、リソース割り振りコンポーネント５２０は、様々な事項（considerations）（例えば、ＵＥからのバッファステータスレポートに基づいて決定された所望の帯域幅、ｅＮＢ５０４によってサービスされる全てのＵＥのためのＲＢＧの実質的に等しい割り振りなど）に基づいて、どのＲＢＧがおよび／またはいくつのＲＢＧがＵＥおよび／または他のＵＥに割り振られるかを決定し得る。
【００５９】
[0067]  別の例では、ＬＴＥにおけるダウンリンクリソース割り振りタイプ１は、同様にＲＢＧに基づき得、ここで、ＲＢＧのサブセットは、ｅＮＢ５０４からのダウンリンク通信を受信するためにＵＥに割り振られ得る。上述されるように、ダウンリンクリソース割り振りタイプ１は、複数のＲＢＧサブセット間の１つの選択されたＲＢＧサブセットを示すために使用されるｃｅｉｌｉｎｇ（ｌｏｇ２（Ｐ））ビット（例えば、２０メガヘルツ（ＭＨｚ）については２ビット）を有する第１のフィールドと、サブセット内のリソース割り振りスパンのシフトを示すために使用される１ビットを有する第２のフィールドと、ビットマップの最上位ビットから最下位ビットまでが周波数の昇順で仮想ＲＢにマッピングされるように、選択されたＲＢＧサブセット中の単一の仮想ＲＢをビットマップ中の各ビットがアドレスするビットマップを示すために使用される第３のフィールドとの、３つのフィールドに関連付けられ得る。選択されたＲＢＧサブセット中の仮想ＲＢをアドレスするために使用されるビットマップの部分は、Ｎ＿ＤＬ＾ＲＢ／Ｐ−ｃｅｉｌｉｎｇ（ｌｏｇ２（Ｐ））−１のサイズを有し（例えば、２０ＭＨｚについては２２ビット）、ここで、Ｎ＿ＤＬ＾ＲＢは、ＲＢの数に関するＤＬシステム帯域幅である。
【００６０】
[0068]  ダウンリンクリソース割り振りタイプ１のための例示的なリソース割り振りは、図９ａおよび９ｂで示される。例えば、図９ａは、第１のフィールド２ビット＝００、第２のフィールド１ビット＝０、および２２ビットのビットマップがＲＢ０，１，２，３，１６，１７，１８，１９，３２，３３，３４，３５，・・・８０，８１を示すリソース割り振り９００、第１のフィールド２ビット＝００、および第２のフィールド１ビット＝１であるリソース割り振り９０２、第１のフィールド２ビット＝０１、第２のフィールド１ビット＝０であるリソース割り振り９０４、並びに、第１のフィールド２ビット＝０１、第２のフィールド１ビット＝１であるリソース割り振り９０６を図示する。図９ｂは、第１のフィールド２ビット＝１０、第２のフィールド１ビット＝０であるリソース割り振り９１０、第１のフィールド２ビット＝１０、および第２のフィールド１ビット＝１であるリソース割り振り９１２、第１のフィールド２ビット＝１１、および第２のフィールド１ビット＝０であるリソース割り振り９１４、並びに、第１のフィールド２ビット＝１１、第２のフィールド１ビット＝１であるリソース割り振９１６を図示する。
【００６１】
[0069]  この例では、図５におけるリソース決定コンポーネント５１０は、ｅＮＢ５０４からのリソース割り振りに示される１つまたは複数の関連したパラメータ（例えば、上記の例で示されるような、ＵＥに割り振られるＲＢＧのセットを示すビットマップのような、ダウンリンクリソース割り振りタイプ０および／または関連したパラメータ、第１のフィールド２ビット、第２のフィールド１ビット、および／またはビットマップのような、ダウンリンクリソース割り振りタイプ１および／または関連したパラメータなど）に基づいてリソース割り振りを決定し得る。説明されるように、リソース割り振りコンポーネント５２０は、通信のためのリソースを用いてＵＥ５０２（および／または他のＵＥ）をスケジューリングするときに、これらのパラメータを含むようにリソース割り振りを生成し得、ＵＥ５０２にリソース割り振りを通信し得る。一例では、リソース割り振りビットマップは、リソース割り振りにおいて示される時間の期間、ｅＮＢ５０４が別のビットマップを通信するまでの時間の期間、（例えば、接続されたモードで）ＵＥ５０２がｅＮＢ５０４と通信している間の時間の期間、および／または同様のもののような時間の期間の間有効であり得る。
【００６２】
[0070]  ブロック６０４において、ＵＥまたはｅＮＢは、低レイテンシ通信技術のためのリソース割り振りを決定し得、リソース割り振りは、ＲＢＧのサブセット中の１つまたは複数の低レイテンシＲＢを含む。一態様では、例えば、プロセッサ５０３、メモリ５０５、および／またはトランシーバ５０６に関連して、リソース決定コンポーネント５１０は、低レイテンシ通信技術のためのリソース割り振りを決定し得、リソース割り振りは、ＲＢＧのサブセット中の１つまたは複数の低レイテンシＲＢを含む。別の態様では、例えば、プロセッサ５５３、メモリ５５５、および／またはトランシーバ５５６に関連して、リソース割り振りコンポーネント５２０は、低レイテンシ通信技術のためのリソース割り振りを決定し得、リソース割り振りは、ＲＢＧのサブセット中の１つまたは複数の低レイテンシＲＢを含む。
【００６３】
[0071]  例えば、低レイテンシ通信技術（例えば、ＵＬＬ ＬＴＥ）に関して、ブロックベースのリソース割り振りは、各ブロックがシステム帯域幅上のいくつかの連続したまたは連続しないＲＢを含む場合に使用され得る。一例では、各ブロックは、２０ＭＨｚシステムにおいて１つまたは複数のＵＥの各々に割り振るための４つのブロックが存在し得るように、おおよそ２５個のＲＢであり得、各ブロックは、５ＭＨｚである。加えて、低レイテンシ通信技術は、１つまたは複数のＲＢ、ＲＢＧ、ブロックなどが、レガシ通信技術または低レイテンシ通信技術を使用してＵＥに全体的にまたは部分的に割り振られ得るように、（例えば、１ｍｓサブフレーム送信において）レガシ通信技術と共存し得る。よって、リソース決定コンポーネント５１０および／またはリソース割り振りコンポーネント５２０は、レガシデータチャネル（例えば、ＬＴＥにおける物理ダウンリンク共有チャネル（ＰＤＳＣＨ））とより良く共存し、より良い周波数ダイバーシティなどを提供するために、低レイテンシワイヤレス通信技術のためのリソース割り振りを決定し得る。一例では、リソース決定コンポーネント５１０および／またはリソース割り振りコンポーネント５２０は、システム帯域幅に基づいてＵＬＬ通信のためのブロックサイズを決定することによって、リソース割り振りを決定し得る。別の例では、リソース決定コンポーネント５１０および／またはリソース割り振りコンポーネント５２０は、サイズが実質的に等しい複数のブロックサイズを決定することによって、リソース割り振りを決定し得る。さらに、一例では、リソース決定コンポーネント５１０および／またはリソース割り振りコンポーネント５２０は、１つまたは複数のＲＢＧ内などで、システム帯域幅上の互いに連続したおよび／または連続していない（例えば、ＲＢのうちのいくつかが連続し得る、またはいずれも連続していない可能性のある）低レイテンシＲＢを決定し得る。
【００６４】
[0072]  ブロック６０４においてリソース割り振りを決定する際に、ＵＥまたはｅＮＢは、ブロック６０６において、ＲＢＧのサブセット中の１つまたは複数のＲＢＧ中の１つまたは複数の低レイテンシＲＢを含むリソース割り振りを任意で決定し得る。一態様では、例えば、プロセッサ５０３、メモリ５０５、および／またはトランシーバ５０６に関連して、リソース決定コンポーネント５１０は、ＲＢＧのサブセット中の１つまたは複数のＲＢＧ中の１つまたは複数の低レイテンシＲＢを含むリソース割り振りを決定し得る。別の態様では、例えば、プロセッサ５５３、メモリ５５５、および／またはトランシーバ５５６に関連して、リソース割り振りコンポーネント５２０は、ＲＢＧのサブセット中の１つまたは複数のＲＢＧ中の１つまたは複数の低レイテンシＲＢを含むリソース割り振りを決定し得る。これに関して、低レイテンシ通信技術のためのリソース割り振りは、レガシ通信技術で使用されるもののうちのＲＢＧの少なくとも１つのサブセットを利用し得る。
【００６５】
[0073]  例えば、２０ＭＨｚＬＴＥにおいて、ブロック６０２において決定されるリソース割り振りがＲＢＧ｛０，４，８，１２，１６，２０，２４｝を有するＲＢＧサブセット０を含む場合、低レイテンシ通信技術のためにブロック６０６において決定されるリソース割り振りは、１つまたは複数のＵＬＬブロックに分割され得る。例えば、リソース割り振りは、ＲＢＧ｛０，４，８｝（１２個のＲＢ）を有するＵＬＬブロック０と、ＲＢＧ｛１２，１６，２０，２４｝（１６個のＲＢ）を有するＵＬＬブロック１とを含む２つのＵＬＬブロックに分割され得る。別の例では、リソース割り振りは、サブセット中のＲＢＧの全てを含む１つのＵＬＬブロックなどを含み得る。ＵＬＬリソース割り振りのためのブロック０がＲＢＧ｛０，４，８，１２，１６，２０，２４｝を含み得、ＵＬＬリソース割り振りのためのブロック１がＲＢＧ｛１，５，９，１３，１７，および２１｝を含み得、ＵＬＬリソース割り振りのためのブロック２がＲＢＧ｛２，６，１０，１４，１８，および２２｝を含み得、ＵＬＬリソース割り振りのためのブロック３がＲＢＧ｛３，７，１１，１５，１９，および２３｝を含み得る、例示的なリソース割り振り１０００が図１０で示される。
【００６６】
[0074]  一例では、リソース決定コンポーネント５１０および／またはリソース割り振りコンポーネント５２０は、レガシリソース割り振りで指定されたＲＢＧに基づいて、これに関して（in this regard）ＵＬＬブロック中の低レイテンシＲＢを含むように（例えば、レガシリソース割り振りで指定されたＲＢＧ中のＲＢのうちの少なくともいくつかとＵＬＬブロックがアラインするように）リソース割り振りを決定し得る。説明されるように、例えば、リソース決定コンポーネント５１０および／またはリソース割り振りコンポーネント５２０は、１つまたは複数のＲＢＧサブセットのうちの１つまたは複数のサブセット（例えば、１つまたは複数のＵＬＬブロック）を含むようにリソース割り振りを決定し得る。例えば、リソース決定コンポーネント５１０は、１つまたは複数のＲＢＧサブセット間のＵＬＬブロックの既知のまたは構成された割り振りに基づいてリソース割り振りを決定し得る。例えば、ＵＬＬ割り振りは、ＵＬＬブロック０がＲＢＧ｛０，４，８｝に対応し、ＵＬＬブロック１がＲＢＧ｛１２，１６，２０，２４｝に対応し、ＵＬＬブロック２がＲＢＧ｛１，５，９｝に対応し、ＵＬＬブロック３がＲＢＧ｛１３，１７，２１｝に対応し、ＵＬＬブロック４がＲＢＧ｛２，６，１０｝に対応し、ＵＬＬブロック５がＲＢＧ｛１４，１８，２２｝に対応するなどのようにインデックスされ得る。よって、一例では、リソース割り振りコンポーネント５２０は、（例えば、整数インデックス値、各ビットがＵＬＬブロックに対応するビットマップなどを使用して）ＵＥ５０２に割り振られるＵＬＬブロック構造の値を指定し得、リソース決定コンポーネント５１０がその値を受信し得、それに応じて、ｅＮＢ５０４からのダウンリンク通信を受信する際に使用するためにＵＬＬブロックを決定し得る。別の例では、リソース決定コンポーネント５１０は、レガシ通信のために構成されたリソースに基づいて、ＵＥ５０２のためのＵＬＬブロック構造を決定し得る。例えば、リソース決定コンポーネント５１０は、（例えば、構成に基づいて）ＵＬＬブロックとレガシＲＢＧとの間の１つまたは複数の関連付けを決定し得る。特定の例では、リソース決定コンポーネント５１０は、レガシＲＢＧ０に関連するようにＵＬＬブロック０および１を決定し得、よって、レガシ通信技術においてＵＥ５０２のためにＲＢＧ０が構成される、ＵＬＬブロック０および１の割り振りを決定し得る。ＵＬＬブロックとＲＢＧとの間の相関は、レガシＲＢＧ、および利用するためのＵＬＬブロックの数（この例では２個）のような、リソース割り振りにおいてリソース割り振りコンポーネント５２０によって指定された追加の情報に基づいて、ＵＥ５０２によって構成される、および／またはリソース決定コンポーネント５１０によって決定され得る。さらに、一例では、リソース割り振りコンポーネント５２０は、ＵＬＬブロックが利用されることを示すためのリソース割り振りにおいて割り振りタイプを指定し得る。別の例では、リソース割り振りコンポーネント５２０は、（ＵＥ５０２に割り当てられるレガシＲＢＧのサブセット、および１つまたは複数のＵＬＬブロックを決定することに基づいて）これに関してＵＥ５０２に割��振るための低レイテンシＲＢを決定し得、それに応じて、（例えば、ビットマップ、割り振りタイプ、またはＵＬＬブロック、ＲＢＧ、低レイテンシＲＢを指定する他のパラメータなどにおいて）ＵＬＬリソース割り振りを示し得る。
【００６７】
[0075]  一例では、ブロック６０４においてリソース割り振りを決定する際に、ＵＥまたはｅＮＢは、ブロック６０８において、ＲＢＧのサブセット中の各ＲＢＧ中の１つまたは複数の低レイテンシＲＢを含むリソース割り振りを任意で決定し得る。一態様では、例えば、プロセッサ５０３、メモリ５０５、および／またはトランシーバ５０６に関連して、リソース決定コンポーネント５１０は、ＲＢＧのサブセット中の各ＲＢＧ中の１つまたは複数の低レイテンシＲＢを含むリソース割り振りを決定し得る。別の態様では、例えば、プロセッサ５５３、メモリ５５５、および／またはトランシーバ５５６に関連して、リソース割り振りコンポーネント５２０は、ＲＢＧのサブセット中の各ＲＢＧ中の１つまたは複数の低レイテンシＲＢを含むリソース割り振りを決定し得る。
【００６８】
[0076]  この例では、リソース決定コンポーネント５１０は、レガシワイヤレス通信のために構成されるＲＢＧのサブセット中の同じＲＢのような低レイテンシＲＢを含むように低レイテンシ通信技術のためのリソース割り振りを決定する。同様に、この例では、リソース決定コンポーネント５１０は、１つまたは複数のＵＬＬブロックがレガシＲＢＧのサブセット中のＲＢと同じＲＢを含むように、低レイテンシＲＢを決定するように構成され得る。例えば、リソース決定コンポーネント５１０は、これに関して動作することを示すリソース割り振りコンポーネント５２０からの構成を受信することに基づいて、これに関して低レイテンシＲＢを決定し得る（例えば、リソース割り振りが、１つまたは複数のＵＬＬブロックがレガシＲＢＧのサブセットと同じＲＢを含むように、低レイテンシＲＢを示す対応する割り振りタイプを含み得る）。加えて、説明されるように、リソース割り振りコンポーネント５２０は、（ＵＥ５０２に割り当てられたレガシＲＢＧのサブセットに基づいて）これに関してＵＥ５０２に割り振るための低レイテンシＲＢを決定し得、それに応じて、（例えば、ビットマップ、割り振りタイプ、またはＲＢＧ、低レイテンシＲＢを指定する他のパラメータなどにおいて）ＵＬＬリソース割り振りを示し得る。
【００６９】
[0077]  一例では、ブロック６０４においてリソース割り振りを決定する際に、ＵＥまたはｅＮＢは、ブロック６１０において、ＲＢＧの１つまたは複数の追加のサブセット中の１つまたは複数の低レイテンシＲＢを含むリソース割り振りを任意で決定し得る。一態様では、例えば、プロセッサ５０３、メモリ５０５、および／またはトランシーバ５０６に関連して、リソース決定コンポーネント５１０は、ＲＢＧの１つまたは複数の追加のサブセット中の１つまたは複数の低レイテンシＲＢを含むリソース割り振りを決定し得る。別の態様では、例えば、プロセッサ５５３、メモリ５５５、および／またはトランシーバ５５６に関連して、リソース割り振りコンポーネント５２０は、ＲＢＧの１つまたは複数の追加のサブセット中の１つまたは複数の低レイテンシＲＢを含むリソース割り振りを決定し得る。
【００７０】
[0078]  例えば、リソース決定コンポーネント５１０は、１つまたは複数の連続したサブセットを含むようにＲＢＧの１つまたは複数の追加のサブセットを決定し得る。例えば、１つまたは複数のＵＬＬブロックは、１つまたは複数の連続したＲＢＧ（例えば、周波数において隣接するＲＢＧ）を含むように定義され得る。ＵＬＬリソース割り振りのためのブロック０が、合計２４個のＲＢを有するＲＢＧ｛０，１，２，３，４，５｝を含み得、ＵＬＬリソース割り振りのためのブロック１が、合計２４個のＲＢを有するＲＢＧ｛６，７，８，９，１０，１１｝を含み得、ＵＬＬリソース割り振りのためのブロック２が、合計２４個のＲＢを有するＲＢＧ｛１２，１３，１４，１５，１６，１７｝を含み得、ＵＬＬリソース割り振りのためのブロック３が、合計２８個のＲＢを有するＲＢＧ｛１８，１９，２０，２１，２２，２３，２４｝を含み得る、２０ＭＨｚシステム帯域幅中の例示的なリソース割り振り１００２が、図１０で示されている。
【００７１】
[0079]  上記で同様に説明されるように、一例では、リソース決定コンポーネント５１０は、１つまたは複数のＵＬＬブロック中で定義されるような１つまたは複数の低レイテンシＲＢのリソース割り振りを決定し得る。例えば、リソース決定コンポーネント５１０は、ＵＥ５０２における１つまたは複数の既知のあるいは構成されたパラメータ、および／またはリソース割り振りコンポーネント５２０からの追加の情報に基づいて、リソース割り振りを決定し得る。例えば、リソース決定コンポーネント５１０は、ＵＬＬブロックインデックスとＲＢＧの対応するサブセットとの間の相関を知り得るか、またはそれを用いて構成され得る。この例では、リソース割り振りコンポーネント５２０は、ＵＬＬブロックインデックスを指定することによって、ＵＥ５０２のためのＵＬＬリソースを割り振り得る。加えて、説明されるように、リソース割り振りコンポーネント５２０は、（連続したＲＢＧのサブセット中のＲＢを含むように）これに関してＵＥ５０２に割り振るための低レイテンシＲＢを決定し得、それに応じて、（例えば、ビットマップ、割り振りタイプ、またはＲＢＧ、低レイテンシＲＢを指定する他のパラメータなどにおいて）ＵＬＬリソース割り振りを示し得る。例えば、リソース割り振りコンポーネント５２０は、連続したＲＢＧに基づいて割り振りを示すリソース割り振りにおける割り振りタイプを含み得る。
【００７２】
[0080]  一例では、ブロック６０４においてリソース割り振りを決定する際に、ＵＥまたはｅＮＢは、ブロック６１２において、システム帯域幅に少なくとも部分的に基づいて、１つまたは複数の低レイテンシＲＢを任意で決定し得る。一態様では、例えば、プロセッサ５０３、メモリ５０５、および／またはトランシーバ５０６に関連して、リソース決定コンポーネント５１０は、システム帯域幅に少なくとも部分的に基づいて、１つまたは複数の低レイテンシＲＢを決定し得る。別の態様では、例えば、プロセッサ５５３、メモリ５５５、および／またはトランシーバ５５６に関連して、リソース割り振りコンポーネント５２０は、システム帯域幅に少なくとも部分的に基づいて、１つまたは複数の低レイテンシＲＢを決定し得る。
【００７３】
[0081]  例えば、リソース決定コンポーネント５１０および／またはリソース割り振りコンポーネント５２０は、説明されるように、システム帯域幅に基づいてＲＢＧまたはＲＢＧサブセットが異なり得る（例えば、異なるサイズである）１つまたは複数のＲＢＧサブセットの一部として１つまたは複数の低レイテンシＲＢを決定し得る。説明されるように、システム帯域幅とＲＢＧまたはＲＢＧサブセットパラメータとの間の関連付けは、既知であるか、またはそうでなければ、リソース決定コンポーネント５１０および／またはリソース割り振りコンポーネント５２０が、システム帯域幅に基づいて低レイテンシＲＢを決定するためにＲＢＧまたはＲＢＧサブセットの１つまたは複数のパラメータを決定することができるように、ＵＥ５０２および／またはｅＮＢ５０４において構成され得る。
【００７４】
[0082]  同様に、一例では、ブロック６０４においてリソース割り振りを決定する際に、ＵＥまたはｅＮＢは、ブロック６１４において、システム帯域幅に少なくとも部分的に基づいて、ＲＢＧのサブセットの数を任意で識別し得る。一態様では、例えば、プロセッサ５０３、メモリ５０５、および／またはトランシーバ５０６に関連して、リソース決定コンポーネント５１０は、システム帯域幅に少なくとも部分的に基づいて、ＲＢＧのサブセットの数を任意で識別し得る。別の態様では、例えば、プロセッサ５５３、メモリ５５５、および／またはトランシーバ５５６に関連して、リソース割り振りコンポーネント５２０は、システム帯域幅に少なくとも部分的に基づいて、ＲＢＧのサブセットの数を識別し得る。説明されるように、ＲＢＧのサブセットは、システム帯域幅に基づいて、および／または（システム帯域幅にも基づき得る）各ＲＢＧに含まれるいくつかのＲＢに基づいて定義され得る。よって、リソース決定コンポーネント５１０および／またはリソース割り振りコンポーネント５２０は、システム帯域幅に基づいて（例えば、構成された表またはマッピングにおいてシステム帯域幅に対応するサブセットの数を決定することに基づいて）、ＲＢＧのサブセットおよび／またはＲＢＧのサブセットの数を決定し得る。
【００７５】
[0083]  一例では、ブロック６０４においてリソース割り振りを決定する際に、ＵＥまたはｅＮＢは、ブロック６１６において、低レイテンシ通信技術のＴＴＩに少なくとも部分的に基づいて、１つまたは複数の低レイテンシＲＢの数および／またはリソース割り振りを任意で決定し得る。一態様では、例えば、プロセッサ５０３、メモリ５０５、および／またはトランシーバ５０６に関連して、リソース決定コンポーネント５１０は、低レイテンシ通信技術のＴＴＩに少なくとも部分的に基づいて、１つまたは複数の低レイテンシＲＢの数および／またはリソース割り振りを決定し得る。別の態様では、例えば、プロセッサ５５３、メモリ５５５、および／またはトランシーバ５５６に関連して、リソース割り振りコンポーネント５２０は、低レイテンシ通信技術のＴＴＩに少なくとも部分的に基づいて、１つまたは複数の低レイテンシＲＢの数および／またはリソース割り振りを決定し得る。
【００７６】
[0084]  例えば、１シンボルＴＴＩは、リソース割り振りのための低レイテンシＲＢの第１の数（例えば、ＵＬＬブロックごとのＲＢＧの数など）と相関し得るが、一方２シンボルのＴＴＩは、リソース割り振りのための低レイテンシＲＢの第２の数と相関し得る。別の例では、１シンボルＴＴＩは、あるリソース割り振りタイプと相関し得るが、一方２シンボルＴＴＩは、別のリソース割り振りタイプと相関し得る（例えば、ＵＬＬブロックが、ある割り振りタイプのようなレガシＲＢＧ割り振りに基づく連続しないＲＢＧサブセットに対応するか、または別の割り振りタイプのような連続したＲＢＧサブセットに対応する）。よって、一例では、リソース決定コンポーネント５１０および／またはリソース割り振りコンポーネント５２０は、ＴＴＩ持続期間に対応するリソース割り振りタイプに基づいて、低レイテンシＲＢの数および／またはリソース割り振りを決定し得る。
【００７７】
[0085]  別の例では、セル固有基準信号（ＣＲＳ）、復調基準信号（ＤＭ−ＲＳ）などがＴＴＩにおいて送信されるかどうかなど、他のファクタが、低レイテンシＲＢのためのリソース割り振りタイプに影響を与え得る。例えば、低レイテンシＲＢは、ＣＲＳベースの送信のための第１のタイプ（例えば、周波数分散された）として、および／または、ＤＭ−ＲＳベースの送信のための第２のタイプ（周波数ローカライズされた）として割り振られ得るか、またはそうなければ割り振られるように決定され得る。加えて、例えば、２つ以上のリソース割り振りタイプが使用され得る。さらに、一例では、リソース決定コンポーネント５１０および／またはリソース割り振りコンポーネント５２０は、示されたリソース割り振りタイプ、ダウンリンク制御情報（ＤＣＩ）フォーマット、サブフレームインデックス、チャネル情報フィードバックのタイプなどに少なくとも部分的に基づいて、リソース割り振りを決定し得る。一例では、リソース割り振りタイプは、ＵＥ５０２、ｅＮＢ５０４などによって受信または生成された構成において、ダウンリンク制御情報（ＤＣＩ）フォーマット、サブフレームインデックス、チャネル情報フィードバックのタイプなどのうちの１つまたは複数にマッピングされ得るか、またはそうでなければ関連付けられ得る。
【００７８】
[0086]  一例では、ブロック６０４においてリソース割り振りを決定する際に、ＵＥまたはｅＮＢは、ブロック６１８において、リソース割り振りに少なくとも部分的に基づいて、低レイテンシ制御チャネルのためにリソース要素（ＲＥ）ロケーションまたはサーチ空間を任意で決定し得る。一態様では、例えば、プロセッサ５０３、メモリ５０５、および／またはトランシーバ５０６に関連して、リソース決定コンポーネント５１０は、リソース割り振りに少なくとも部分的に基づいて、低レイテンシ制御チャネルのためにＲＥロケーションまたはサーチ空間を決定し得る。別の態様では、例えば、プロセッサ５５３、メモリ５５５、および／またはトランシーバ５５６に関連して、リソース割り振りコンポーネント５２０は、リソース割り振りに少なくとも部分的に基づいて、低レイテンシ制御チャネルのためにＲＥロケーションを決定し得る。
【００７９】
[0087]  例えば、リソース割り振りタイプ（例えば、ＵＬＬブロックが、ある割り振りタイプのようなレガシＲＢＧ割り振りに基づく連続しないＲＢＧサブセットに対応するか、または別の割り振りタイプのような連続したＲＢＧサブセットに対応する）に基づいて、リソース決定コンポーネント５１０は、低レイテンシ制御チャネル（例えば、ｕＰＤＣＣＨ）を復号するためのＲＥロケーションを決定し得、よって、リソース割り振りコンポーネント５２０は、指定された低レイテンシ割り振りタイプに基づいてＵＥ５０２のために制御チャネルを割り振り得る。同様に、一例では、ｕＰＤＣＣＨについてのサーチ空間のための２つ以上の復号候補は、異なる低レイテンシ割り振りタイプに関連付けられ得る（例えば、ｕＰＤＣＣＨの第１の復号候補がＲＢＧ｛０，４，８，１２｝中のいくつかのＲＥを有し、ｕＰＤＣＣＨの第２の復号候補がＲＢＧ｛０，１，２，３｝中のいくつかのＲＥを有し得る）。さらに、これらの例では、リソース割り振りコンポーネント５２０は、説明されるようなＲＥロケーションをそれに応じて決定し得、サーチ空間に関連付けられたＲＥロケーションを決定するリソース決定コンポーネント５１０に基づいてＵＥ５０２が制御チャネル通信を受信することができるように、決定されたＲＥロケーションでｕＰＤＣＣＨを送信し得る。
【００８０】
[0088]  ブロック６０２において、ＵＥまたはｅＮＢは、１つまたは複数の低レイテンシＲＢ中のリソース上でデータを通信し得、リソースは、リソース割り振りに関連付けられる。一態様では、例えば、プロセッサ５０３、メモリ５０５、および／またはトランシーバ５０６に関連して、通信コンポーネント３６１は、１つまたは複数の低レイテンシＲＢ中のリソース上でデータを通信し得、リソースは、リソース割り振りに関連付けられる。別の態様では、例えば、プロセッサ５５３、メモリ５５５、および／またはトランシーバ５５６に関連して、スケジューリングコンポーネント３０２は、１つまたは複数の低レイテンシＲＢ中のリソース上でデータを通信し得、リソースは、リソース割り振りに関連付けられる。
【００８１】
[0089]  よって、例えば、リソース割り振りコンポーネント５２０は、上記で説明されるようなリソース割り振りを決定し得、ｅＮＢ５０４は、決定されたリソース割り振りにおいて定義されたリソース上でＵＥ５０２にダウンリンクデータを通信し得る。同様に，例えば、リソース決定コンポーネント５１０は、上記で説明されるようなリソース割り振りを決定し得、ＵＥ５０２は、それに応じて、決定されたリソース割り振りにおいて定義されたリソース上でｅＮＢ５０４からのダウンリンクデータを受信し得る。これは、例えば、図７および８でさらに示され得る。
【００８２】
[0090]  図７は、低レイテンシ通信技術におけるリソース割り振りを（例えば、ＵＥによって）決定するための方法７００の例を図示する。
【００８３】
[0091]  ブロック７０２において、ＵＥは、基地局から１つまたは複数のリソース割り振りを受信し得る。一態様では、例えば、プロセッサ５０３、メモリ５０５、および／またはトランシーバ５０６に関連して、リソース決定コンポーネント５１０は、基地局から（例えば、ｅＮＢ５０４から）１つまたは複数のリソース割り振りを受信し得る。例えば、リソース決定コンポーネント５１０は、１つまたは複数のリソース割り振りが、レガシワイヤレス通信技術のためのリソース割り振り（ＵＥに割り振られたＲＢＧのサブセットを示し得る）、低レイテンシワイヤレス通信技術のためのリソース割り振り（ＵＥに割り振られた、１つまたは複数のＲＢ、ＲＢＧ、ＵＬＬブロックなどを示し得る）、および／または同様のものを含み得る、１つまたは複数の制御チャネル（例えば、ＰＤＣＣＨ、ｕＰＤＣＣＨなど）上の１つまたは複数のリソース割り振りを受信し得る。一例では、通信コンポーネント３６１は、１つまたは複数のリソース割り振りに対応するリソースのための共有サーチ空間をサーチし得、リソース決定コンポーネント５１０は、共有サーチ空間から決定されたリソース中で受信される通信に基づいて、リソース割り振りおよび／または関連したパラメータを決定し得る。
【００８４】
[0092]  上記で図６を参照して説明されるように、１つまたは複数の受信したリソース割り振りに基づいて、ＵＥは、ブロック６０２において、レガシワイヤレス通信技術のために構成されたＲＢＧのサブセットを決定することと、ブロック６０４において、低レイテンシ通信技術のためのリソース割り振りを決定することと、ここで、リソース割り振りは、ＲＢＧのサブセット中の１つまたは複数の低レイテンシＲＢを含み、ブロック６２０において、１つまたは複数の低レイテンシＲＢ中のリソース上でデータを通信することとを行い得、ここで、リソースは、リソース割り振りに関連付けられる。
【００８５】
[0093]  図８は、低レイテンシ通信技術におけるリソース割り振りを（例えば、ｅＮＢによって）決定するための方法８００の例を図示する。
【００８６】
[0094]  上記で図６を参照して説明されるように、ｅＮＢは、ブロック６０２において、レガシワイヤレス通信技術のために構成されたＲＢＧサブセットを決定することと、ブロック６０４において、低レイテンシ通信技術のためのリソース割り振りを決定することとを行い得、ここで、リソース割り振りは、ＲＢＧのサブセット中の１つまたは複数の低レイテンシＲＢを含む。
【００８７】
[0095]  ブロック８０２において、ｅＮＢは、リソース割り振りをＵＥに送信し得る。一態様では、例えば、プロセッサ５５３、メモリ５５５、および／またはトランシーバ５５６に関連して、リソース割り振りコンポーネント５２０は、説明されるように、ＵＥが、低レイテンシワイヤレス通信技術を使用して通信するために１つまたは複数の低レイテンシＲＢを決定するように受信および使用し得る、ＵＥ（例えば、ＵＥ５０２）へのリソース割り振りを送信し得る。従って、例えば、ｅＮＢはまた、上記で図６を参照して説明されるように、ブロック６２０において、１つまたは複数の低レイテンシＲＢ中のリソース上でデータを通信することを行い得、ここで、リソースは、リソース割り振りに関連付けられる。
【００８８】
[0096]  開示された処理におけるステップの特定の順序または階層は、例示的な手法の一例であるということを理解されたい。設計の選好に基づいて、これらの処理におけるステップの特定の順序または階層は並べ替えられ得るということを理解されたい。さらに、いくつかのステップは、組み合わせられるか、または省略され得る。添付の方法クレームは、様々なステップの要素を例示的な順序で提示したものであり、提示された特定の順序または階層に限定されるものではない。
【００８９】
[0097]  先の説明は、いずれの当業者も、本明細書で説明される様々な態様を実現することを可能にするために提供される。これらの態様に対する様々な変更は当業者には容易に明らかであり、本明細書で定義した一般的原理は他の態様に適用することができる。従って、特許請求の範囲は、本明細書に示された態様に限定されるものではなく、特許請求の範囲の文言に矛盾しない最大限の範囲を与えられるべきであり、ここで、単数形の要素への言及は、そのように明記されていない限り、「１つのおよびただ１つの」を意味するものではなく、「１つまたは複数の」を意味するものである。別段に明記されていない限り、「いくつかの」という用語は「１つまたは複数の」を指す。当業者に知られている、または後に知られることになる、本明細書で説明された様々な態様の要素のすべての構造的および機能的均等物は、参照により本明細書に明示的に組み込まれ、特許請求の範囲に包含されるものである。さらに、本明細書に開示したいかなることも、そのような開示が特許請求の範囲に明示的に記載されているかどうかにかかわらず、公共に献呈されるものではない。いかなるクレーム要素も、その要素が「のための手段」という語句を使用して明示的に記載されていない限り、ミーンズプラスファンクションとして解釈されるべきではない。
【図１】
2019506048.tif 000004
【図２】
2019506048.tif 000005
【図３】
2019506048.tif 000006
【図４】
2019506048.tif 000007
【図５】
2019506048.tif 000008
【図６】
2019506048.tif 000009
【図７】
2019506048.tif 000010
【図８】
2019506048.tif 000011
【図９ａ】
2019506048.tif 000012
【図９ｂ】
2019506048.tif 000013
【図１０】
2019506048.tif 000014
【手続補正書】
【提出日】平成30年8月24日(2018.8.24)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１の送信時間間隔（ＴＴＩ）を有するレガシワイヤレス通信技術のために構成されたリソースブロック（ＲＢ）グループのサブセットを決定することと、前記第１のＴＴＩは、持続期間中の１つのサブフレームに基づいており、ここにおいて、ＲＢグループの前記サブセット中の各ＲＢグループは、１つまたは複数のＲＢを含む、
システム帯域幅に少なくとも部分的に基づいて、ＲＢグループの前記サブセット中のＲＢグループの数を識別することと、
第２のＴＴＩを有する低レイテンシ通信技術のためのリソース割り振りを決定することと、前記第２のＴＴＩは、持続期間中の１つのサブフレームよりも短く、前記リソース割り振りは、ＲＢグループの前記サブセット中のＲＢグループの前記数において１つまたは複数の低レイテンシＲＢを含む、
前記１つまたは複数の低レイテンシＲＢ中のリソース上でデータを通信することと、前記低レイテンシＲＢは、前記第２のＴＴＩに基づいており、前記リソースは、前記リソース割り振りに関連付けられる、
を備える、方法。
【請求項２】
前記リソース割り振りは、ＲＢグループの前記サブセット中の１つまたは複数のＲＢグループ中の前記１つまたは複数の低レイテンシＲＢを備える、請求項１に記載の方法。
【請求項３】
前記リソース割り振りは、ＲＢグループの前記サブセット中の各ＲＢグループ中の前記１つまたは複数の低レイテンシＲＢを備える、請求項１に記載の方法。
【請求項４】
前記レガシワイヤレス通信技術のために構成されたＲＢグループの追加のサブセットを決定することをさらに備え、ここにおいて、前記リソース割り振りは、ＲＢグループの前記サブセット中の１つまたは複数のＲＢグループ中の前記１つまたは複数の低レイテンシＲＢと、ＲＢグループの前記追加のサブセットのうちの１つまたは複数中の１つまたは複数の追加のＲＢグループとを備える、請求項１に記載の方法。
【請求項５】
前記１つまたは複数のＲＢグループおよび前記１つまたは複数の追加のＲＢグループは、周波数において隣接する、請求項４に記載の方法。
【請求項６】
システム帯域幅に少なくとも部分的に基づいて、前記１つまたは複数の低レイテンシＲＢを決定することをさらに備える、請求項１に記載の方法。
【請求項７】
ＲＢグループの前記サブセットに基づいて、複数のリソース要素（ＲＥ）を備える制御チャネルのための復号候補を決定することをさらに備える、請求項１に記載の方法。
【請求項８】
前記復号候補を決定することは、ＲＢグループの前記サブセット中の１つまたは複数のＲＢグループに対応するＲＥに基づく前記制御チャネルのための少なくとも第１の復号候補と、ＲＢグループの前記サブセット中の１つまたは複数の他のＲＢグループに対応する他のＲＥに基づく前記制御チャネルのための第２の復号候補とを決定することを備える、請求項７に記載の方法。
【請求項９】
前記第２のＴＴＩの前記持続期間に少なくとも部分的に基づいて、前記１つまたは複数の低レイテンシＲＢの数を決定することをさらに備える、請求項１に記載の方法。
【請求項１０】
前記第２のＴＴＩの前記持続期間に少なくとも部分的に基づいて、前記リソース割り振りを決定することをさらに備える、請求項１に記載の方法。
【請求項１１】
前記第２のＴＴＩの前記持続期間は、１シンボル、２シンボル、またはサブフレームの１つのスロットである、請求項１に記載の方法。
【請求項１２】
受信したセル固有基準信号（ＣＲＳ）または復調基準信号（ＤＭ−ＲＳ）に少なくとも部分的に基づいて、前記リソース割り振りを決定することをさらに備える、請求項１に記載の方法。
【請求項１３】
示されたリソース割り振りタイプ、ダウンリンク制御情報（ＤＩＣ）フォーマット、サブフレームインデックス、チャネル情報フィードバックのタイプ、またはそれらの組み合わせに少なくとも部分的に基づいて、前記リソース割り振りを決定することをさらに備える、請求項１に記載の方法。
【請求項１４】
ワイヤレス通信のための装置であって、
１つまたは複数のアンテナを介して１つまたは複数のワイヤレス信号を通信するためのトランシーバと、
命令を記憶するように構成されたメモリと、
前記トランシーバおよび前記メモリと通信可能に結合された１つまたは複数のプロセッサと
を備え、前記１つまたは複数のプロセッサは、
第１の送信時間間隔（ＴＴＩ）を有するレガシワイヤレス通信技術のために構成されたリソースブロック（ＲＢ）グループのサブセットを決定することと、前記第１のＴＴＩは、持続期間中の１つのサブフレームに基づいており、ここにおいて、ＲＢグループの前記サブセット中の各ＲＢグループは、１つまたは複数のＲＢを含む、
システム帯域幅に少なくとも部分的に基づいて、ＲＢグループの前記サブセット中のＲＢグループの数を識別することと、
第２のＴＴＩを有する低レイテンシ通信技術のためのリソース割り振りを決定することと、前記第２のＴＴＩは、持続期間中の１つのサブフレームよりも短く、前記リソース割り振りは、ＲＢグループの前記サブセット中のＲＢグループの前記数において１つまたは複数の低レイテンシＲＢを含む、
前記１つまたは複数の低レイテンシＲＢ中のリソース上でデータを通信することと、前記低レイテンシＲＢは、前記第２のＴＴＩに基づいており、前記リソースは、前記リソース割り振りに関連付けられる、
を行うように構成される、装置。
【請求項１５】
前記リソース割り振りは、ＲＢグループの前記サブセット中の１つまたは複数のＲＢグループ中の前記１つまたは複数の低レイテンシＲＢを備える、請求項１４に記載の装置。
【請求項１６】
前記リソース割り振りは、ＲＢグループの前記サブセット中の各ＲＢグループ中の前記１つまたは複数の低レイテンシＲＢを備える、請求項１４に記載の装置。
【請求項１７】
前記１つまたは複数のプロセッサは、前記レガシワイヤレス通信技術のために構成されたＲＢグループの追加のサブセットを決定するようにさらに構成され、ここにおいて、前記リソース割り振りは、ＲＢグループの前記サブセット中の１つまたは複数のＲＢグループ中の前記１つまたは複数の低レイテンシＲＢと、ＲＢグループの前記追加のサブセットのうちの１つまたは複数中の１つまたは複数の追加のＲＢグループとを備える、請求項１４に記載の装置。
【請求項１８】
前記１つまたは複数のＲＢグループおよび前記１つまたは複数の追加のＲＢグループは、周波数において隣接する、請求項１７に記載の装置。
【請求項１９】
前記１つまたは複数のプロセッサは、システム帯域幅に少なくとも部分的に基づいて、前記１つまたは複数の低レイテンシＲＢを決定するようにさらに構成される、請求項１４に記載の装置。
【請求項２０】
前記１つまたは複数のプロセッサは、ＲＢグループの前記サブセットに基づいて、複数のリソース要素（ＲＥ）を備える制御チャネルのための復号候補を決定するようにさらに構成される、請求項１４に記載の装置。
【請求項２１】
前記１つまたは複数のプロセッサは、少なくとも部分的に、ＲＢグループの前記サブセット中の１つまたは複数のＲＢグループに対応するＲＥに基づく前記制御チャネルのための少なくとも第１の復号候補と、ＲＢグループの前記サブセット中の１つまたは複数の他のＲＢグループに対応する他のＲＥに基づく前記制御チャネルのための第２の復号候補とを決定することによって、前記復号候補を決定するように構成される、請求項２０に記載の装置。
【請求項２２】
前記１つまたは複数のプロセッサは、前記第２のＴＴＩの前記持続期間に少なくとも部分的に基づいて、前記１つまたは複数の低レイテンシＲＢの数を決定するようにさらに構成される、請求項１４に記載の装置。
【請求項２３】
前記１つまたは複数のプロセッサは、前記第２のＴＴＩの前記持続期間に少なくとも部分的に基づいて、前記リソース割り振りを決定するようにさらに構成される、請求項１４に記載の装置。
【請求項２４】
前記第２のＴＴＩの前記持続期間は、１シンボル、２シンボル、またはサブフレームの１つのスロットである、請求項１４に記載の装置。
【請求項２５】
ワイヤレス通信のための装置であって、
第１の送信時間間隔（ＴＴＩ）を有するレガシワイヤレス通信技術のために構成されたリソースブロック（ＲＢ）グループのサブセットを決定するための手段と、前記第１のＴＴＩは、持続期間中の１つのサブフレームに基づいており、ここにおいて、ＲＢグループの前記サブセット中の各ＲＢグループは、１つまたは複数のＲＢを含む、
システム帯域幅に少なくとも部分的に基づいて、ＲＢグループの前記サブセット中のＲＢグループの数を識別するための手段と、
第２のＴＴＩを有する低レイテンシ通信技術のためのリソース割り振りを決定するための手段と、前記第２のＴＴＩは、持続期間中の１つのサブフレームよりも短く、前記リソース割り振りは、ＲＢグループの前記サブセット中のＲＢグループの前記数において１つまたは複数の低レイテンシＲＢを含む、
前記１つまたは複数の低レイテンシＲＢ中のリソース上でデータを通信するための手段と、前記低レイテンシＲＢは、前記第２のＴＴＩに基づいており、前記リソースは、前記リソース割り振りに関連付けられる、
を備える、装置。
【請求項２６】
前記リソース割り振りは、ＲＢグループの前記サブセット中の１つまたは複数のＲＢグループ中の前記１つまたは複数の低レイテンシＲＢを備える、請求項２５に記載の装置。
【請求項２７】
ワイヤレス通信のために１つまたは複数のプロセッサによって実行可能なコードを備える非一時的コンピュータ可読媒体であって、前記コードは、
第１の送信時間間隔（ＴＴＩ）を有するレガシワイヤレス通信技術のために構成されたリソースブロック（ＲＢ）グループのサブセットを決定するためのコードと、前記第１のＴＴＩは、持続期間中の１つのサブフレームに基づいており、ここにおいて、ＲＢグループの前記サブセット中の各ＲＢグループは、１つまたは複数のＲＢを含む、
システム帯域幅に少なくとも部分的に基づいて、ＲＢグループの前記サブセット中のＲＢグループの数を識別するためのコードと、
第２のＴＴＩを有する低レイテンシ通信技術のためのリソース割り振りを決定するためのコードと、前記第２のＴＴＩは、持続期間中の１つのサブフレームよりも短く、前記リソース割り振りは、ＲＢグループの前記サブセット中のＲＢグループの前記数において１つまたは複数の低レイテンシＲＢを含む、
前記１つまたは複数の低レイテンシＲＢ中のリソース上でデータを通信するためのコードと、前記低レイテンシＲＢは、前記第２のＴＴＩに基づいており、前記リソースは、前記リソース割り振りに関連付けられる、
を備える、非一時的コンピュータ可読媒体。
【請求項２８】
前記リソース割り振りは、ＲＢグループの前記サブセット中の１つまたは複数のＲＢグループ中の前記１つまたは複数の低レイテンシＲＢを備える、請求項２７に記載の非一時的コンピュータ可読媒体。
【請求項２９】
前記レガシワイヤレス通信技術のために構成されたＲＢグループの追加のサブセットを決定するための手段をさらに備え、ここにおいて、前記リソース割り振りは、ＲＢグループの前記サブセット中の１つまたは複数のＲＢグループ中の前記１つまたは複数の低レイテンシＲＢと、ＲＢグループの前記追加のサブセットのうちの１つまたは複数中の１つまたは複数の追加のＲＢグループとを備える、請求項２５に記載の装置。
【請求項３０】
前記レガシワイヤレス通信技術のために構成されたＲＢグループの追加のサブセットを決定するためのコードをさらに備え、ここにおいて、前記リソース割り振りは、ＲＢグループの前記サブセット中の１つまたは複数のＲＢグループ中の前記１つまたは複数の低レイテンシＲＢと、ＲＢグループの前記追加のサブセットのうちの１つまたは複数中の１つまたは複数の追加のＲＢグループとを備える、請求項２７に記載の非一時的コンピュータ可読媒体。
【手続補正２】
【補正対象書類名】明細書
【補正対象項目名】００８９
【補正方法】変更
【補正の内容】
【００８９】
[0097]  先の説明は、いずれの当業者も、本明細書で説明される様々な態様を実現することを可能にするために提供される。これらの態様に対する様々な変更は当業者には容易に明らかであり、本明細書で定義した一般的原理は他の態様に適用することができる。従って、特許請求の範囲は、本明細書に示された態様に限定されるものではなく、特許請求の範囲の文言に矛盾しない最大限の範囲を与えられるべきであり、ここで、単数形の要素への言及は、そのように明記されていない限り、「１つのおよびただ１つの」を意味するものではなく、「１つまたは複数の」を意味するものである。別段に明記されていない限り、「いくつかの」という用語は「１つまたは複数の」を指す。当業者に知られている、または後に知られることになる、本明細書で説明された様々な態様の要素のすべての構造的および機能的均等物は、参照により本明細書に明示的に組み込まれ、特許請求の範囲に包含されるものである。さらに、本明細書に開示したいかなることも、そのような開示が特許請求の範囲に明示的に記載されているかどうかにかかわらず、公共に献呈されるものではない。いかなるクレーム要素も、その要素が「のための手段」という語句を使用して明示的に記載されていない限り、ミーンズプラスファンクションとして解釈されるべきではない。
以下に本願の出願当初の特許請求の範囲に記載された発明を付記する。
［Ｃ１］
ワイヤレス通信のための方法であって、
第１の送信時間間隔（ＴＴＩ）を有するレガシワイヤレス通信技術のために構成されたリソースブロック（ＲＢ）グループのサブセットを決定することと、前記第１のＴＴＩは、持続期間中の１つのサブフレームに基づいており、ここにおいて、ＲＢグループの前記サブセット中の各ＲＢグループは、１つまたは複数のＲＢを含む、
第２のＴＴＩを有する低レイテンシ通信技術のためのリソース割り振りを決定することと、前記第２のＴＴＩは、持続期間中の１つのサブフレームよりも短く、前記リソース割り振りは、ＲＢグループの前記サブセット中の１つまたは複数の低レイテンシＲＢを含む、
前記１つまたは複数の低レイテンシＲＢ中のリソース上でデータを通信することと、前記低レイテンシＲＢは、前記第２のＴＴＩに基づいており、前記リソースは、前記リソース割り振りに関連付けられる、
を備える、方法。
［Ｃ２］
前記リソース割り振りは、ＲＢグループの前記サブセット中の１つまたは複数のＲＢグループ中の前記１つまたは複数の低レイテンシＲＢを備える、Ｃ１に記載の方法。
［Ｃ３］
前記リソース割り振りは、ＲＢグループの前記サブセット中の各ＲＢグループ中の前記１つまたは複数の低レイテンシＲＢを備える、Ｃ１に記載の方法。
［Ｃ４］
前記レガシワイヤレス通信技術のために構成されたＲＢグループの追加のサブセットを決定することをさらに備え、ここにおいて、前記リソース割り振りは、ＲＢグループの前記サブセット中の１つまたは複数のＲＢグループ中の前記１つまたは複数の低レイテンシＲＢと、ＲＢグループの前記追加のサブセットのうちの１つまたは複数中の１つまたは複数の追加のＲＢグループとを備える、Ｃ１に記載の方法。
［Ｃ５］
前記１つまたは複数のＲＢグループおよび前記１つまたは複数の追加のＲＢグループは、周波数において隣接する、Ｃ４に記載の方法。
［Ｃ６］
システム帯域幅に少なくとも部分的に基づいて、前記１つまたは複数の低レイテンシＲＢを決定することをさらに備える、Ｃ１に記載の方法。
［Ｃ７］
システム帯域幅に少なくとも部分的に基づいて、リソースブロック（ＲＢ）グループのサブセットの数を識別することをさらに備える、Ｃ１に記載の方法。
［Ｃ８］
ＲＢグループの前記サブセットに基づいて、複数のリソース要素（ＲＥ）を備える制御チャネルのための復号候補を決定することをさらに備える、Ｃ１に記載の方法。
［Ｃ９］
前記復号候補を決定することは、ＲＢグループの前記サブセット中の１つまたは複数のＲＢグループに対応するＲＥに基づく前記制御チャネルのための少なくとも第１の復号候補と、ＲＢグループの前記サブセット中の１つまたは複数の他のＲＢグループに対応する他のＲＥに基づく前記制御チャネルのための第２の復号候補とを決定することを備える、Ｃ８に記載の方法。
［Ｃ１０］
前記第２のＴＴＩの前記持続期間に少なくとも部分的に基づいて、前記１つまたは複数の低レイテンシＲＢの数を決定することをさらに備える、Ｃ１に記載の方法。
［Ｃ１１］
前記第２のＴＴＩの前記持続期間に少なくとも部分的に基づいて、前記リソース割り振りを決定することをさらに備える、Ｃ１に記載の方法。
［Ｃ１２］
前記第２のＴＴＩの前記持続期間は、１シンボル、２シンボル、またはサブフレームの１つのスロットである、Ｃ１に記載の方法。
［Ｃ１３］
受信したセル固有基準信号（ＣＲＳ）または復調基準信号（ＤＭ−ＲＳ）に少なくとも部分的に基づいて、前記リソース割り振りを決定することをさらに備える、Ｃ１に記載の方法。
［Ｃ１４］
示されたリソース割り振りタイプ、ダウンリンク制御情報（ＤＩＣ）フォーマット、サブフレームインデックス、チャネル情報フィードバックのタイプ、またはそれらの組み合わせに少なくとも部分的に基づいて、前記リソース割り振りを決定することをさらに備える、Ｃ１に記載の方法。
［Ｃ１５］
ワイヤレス通信のための装置であって、
１つまたは複数のアンテナを介して１つまたは複数のワイヤレス信号を通信するためのトランシーバと、
命令を記憶するように構成されたメモリと、
前記トランシーバおよび前記メモリと通信可能に結合された１つまたは複数のプロセッサと
を備え、前記１つまたは複数のプロセッサは、
第１の送信時間間隔（ＴＴＩ）を有するレガシワイヤレス通信技術のために構成されたリソースブロック（ＲＢ）グループのサブセットを決定することと、前記第１のＴＴＩは、持続期間中の１つのサブフレームに基づいており、ここにおいて、ＲＢグループの前記サブセット中の各ＲＢグループは、１つまたは複数のＲＢを含む、
第２のＴＴＩを有する低レイテンシ通信技術のためのリソース割り振りを決定することと、前記第２のＴＴＩは、持続期間中の１つのサブフレームよりも短く、前記リソース割り振りは、ＲＢグループの前記サブセット中の１つまたは複数の低レイテンシＲＢを含む、
前記１つまたは複数の低レイテンシＲＢ中のリソース上でデータを通信することと、前記低レイテンシＲＢは、前記第２のＴＴＩに基づいており、前記リソースは、前記リソース割り振りに関連付けられる、
を行うように構成される、装置。
［Ｃ１６］
前記リソース割り振りは、ＲＢグループの前記サブセット中の１つまたは複数のＲＢグループ中の前記１つまたは複数の低レイテンシＲＢを備える、Ｃ１５に記載の装置。
［Ｃ１７］
前記リソース割り振りは、ＲＢグループの前記サブセット中の各ＲＢグループ中の前記１つまたは複数の低レイテンシＲＢを備える、Ｃ１５に記載の装置。
［Ｃ１８］
前記１つまたは複数のプロセッサは、前記レガシワイヤレス通信技術のために構成されたＲＢグループの追加のサブセットを決定するようにさらに構成され、ここにおいて、前記リソース割り振りは、ＲＢグループの前記サブセット中の１つまたは複数のＲＢグループ中の前記１つまたは複数の低レイテンシＲＢと、ＲＢグループの前記追加のサブセットのうちの１つまたは複数中の１つまたは複数の追加のＲＢグループとを備える、Ｃ１５に記載の装置。
［Ｃ１９］
前記１つまたは複数のＲＢグループおよび前記１つまたは複数の追加のＲＢグループは、周波数において隣接する、Ｃ１８に記載の装置。
［Ｃ２０］
前記１つまたは複数のプロセッサは、システム帯域幅に少なくとも部分的に基づいて、前記１つまたは複数の低レイテンシＲＢを決定するようにさらに構成される、Ｃ１５に記載の装置。
［Ｃ２１］
前記１つまたは複数のプロセッサは、システム帯域幅に少なくとも部分的に基づいて、リソースブロック（ＲＢ）グループのサブセットの数を識別することを決定するようにさらに構成される、Ｃ１５に記載の装置。
［Ｃ２２］
前記１つまたは複数のプロセッサは、ＲＢグループの前記サブセットに基づいて、複数のリソース要素（ＲＥ）を備える制御チャネルのための復号候補を決定するようにさらに構成される、Ｃ１５に記載の装置。
［Ｃ２３］
前記１つまたは複数のプロセッサは、少なくとも部分的に、ＲＢグループの前記サブセット中の１つまたは複数のＲＢグループに対応するＲＥに基づく前記制御チャネルのための少なくとも第１の復号候補と、ＲＢグループの前記サブセット中の１つまたは複数の他のＲＢグループに対応する他のＲＥに基づく前記制御チャネルのための第２の復号候補とを決定することによって、前記復号候補を決定するように構成される、Ｃ２２に記載の装置。
［Ｃ２４］
前記１つまたは複数のプロセッサは、前記第２のＴＴＩの前記持続期間に少なくとも部分的に基づいて、前記１つまたは複数の低レイテンシＲＢの数を決定するようにさらに構成される、Ｃ１５に記載の装置。
［Ｃ２５］
前記１つまたは複数のプロセッサは、前記第２のＴＴＩの前記持続期間に少なくとも部分的に基づいて、前記リソース割り振りを決定するようにさらに構成される、Ｃ１５に記載の装置。
［Ｃ２６］
前記第２のＴＴＩの前記持続期間は、１シンボル、２シンボル、またはサブフレームの１つのスロットである、Ｃ１５に記載の装置。
［Ｃ２７］
ワイヤレス通信のための装置であって、
第１の送信時間間隔（ＴＴＩ）を有するレガシワイヤレス通信技術のために構成されたリソースブロック（ＲＢ）グループのサブセットを決定するための手段と、前記第１のＴＴＩは、持続期間中の１つのサブフレームに基づいており、ここにおいて、ＲＢグループの前記サブセット中の各ＲＢグループは、１つまたは複数のＲＢを含む、
第２のＴＴＩを有する低レイテンシ通信技術のためのリソース割り振りを決定するための手段と、前記第２のＴＴＩは、持続期間中の１つのサブフレームよりも短く、前記リソース割り振りは、ＲＢグループの前記サブセット中の１つまたは複数の低レイテンシＲＢを含む、
前記１つまたは複数の低レイテンシＲＢ中のリソース上でデータを通信するための手段と、前記低レイテンシＲＢは、前記第２のＴＴＩに基づいており、前記リソースは、前記リソース割り振りに関連付けられる、
を備える、装置。
［Ｃ２８］
前記リソース割り振りは、ＲＢグループの前記サブセット中の１つまたは複数のＲＢグループ中の前記１つまたは複数の低レイテンシＲＢを備える、Ｃ２７に記載の装置。
［Ｃ２９］
ワイヤレス通信のために１つまたは複数のプロセッサによって実行可能なコードを備えるコンピュータ可読媒体であって、前記コードは、
第１の送信時間間隔（ＴＴＩ）を有するレガシワイヤレス通信技術のために構成されたリソースブロック（ＲＢ）グループのサブセットを決定するためのコードと、前記第１のＴＴＩは、持続期間中の１つのサブフレームに基づいており、ここにおいて、ＲＢグループの前記サブセット中の各ＲＢグループは、１つまたは複数のＲＢを含む、
第２のＴＴＩを有する低レイテンシ通信技術のためのリソース割り振りを決定するためのコードと、前記第２のＴＴＩは、持続期間中の１つのサブフレームよりも短く、前記リソース割り振りは、ＲＢグループの前記サブセット中の１つまたは複数の低レイテンシＲＢを含む、
前記１つまたは複数の低レイテンシＲＢ中のリソース上でデータを通信するためのコードと、前記低レイテンシＲＢは、前記第２のＴＴＩに基づいており、前記リソースは、前記リソース割り振りに関連付けられる、
を備える、コンピュータ可読媒体。
［Ｃ３０］
前記リソース割り振りは、ＲＢグループの前記サブセット中の１つまたは複数のＲＢグループ中の前記１つまたは複数の低レイテンシＲＢを備える、Ｃ２９に記載のコンピュータ可読媒体。
【国際調査報告】
2019506048.tif 000015
2019506048.tif 000016